(57)【要約】【解決手段】無線許可部３０１は、ユーザーの操作により、無線ＬＡＮのＳＳＩＤと、ＰＷとを無線ＬＡＮ照明器具１０に登録させることで、前記無線ＬＡＮに対する当該無線ＬＡＮ照明器具１０の無線接続を許可する。指示発信部３０３は、前記無線ＬＡＮ照明器具１０の点灯又は消灯のキーが選択されると、前記キーに対応する指示を前記無線ＬＡＮ照明器具１０に発信する。信号変換部２０３は、前記無線ＬＡＮ照明器具１０が受信した指示を制御信号に変換する。光源部２０４は、前記変換された制御信号に基づいて点灯又は消灯する。【選択図】図２
2017212029.tif 000002
【特許請求の範囲】
【請求項１】
インターネットと接続可能な無線ＬＡＮと無線接続する無線通信部を備える端末装置と、Ｗｉ−Ｆｉ通信部を備えるＷｉ−Ｆｉ照明器具とを備える照明制御システムであって、
前記端末装置に設けられ、ユーザーの操作により、前記無線ＬＡＮのＳＳＩＤと、当該無線ＬＡＮへの接続を許可するためのＰＷとを前記Ｗｉ−Ｆｉ照明器具のＷｉ−Ｆｉ通信部に登録させることで、前記無線ＬＡＮに対する当該Ｗｉ−Ｆｉ通信部の無線接続を許可する無線許可部と、
前記端末装置に設けられ、前記Ｗｉ−Ｆｉ照明器具の点灯又は消灯のキーが選択されると、前記無線ＬＡＮ又は前記インターネットを介して、前記端末装置の無線通信部から前記キーに対応する指示を前記Ｗｉ−Ｆｉ照明器具のＷｉ−Ｆｉ通信部に発信する指示発信部と、
前記Ｗｉ−Ｆｉ照明器具に設けられ、前記Ｗｉ−Ｆｉ照明器具のＷｉ−Ｆｉ通信部が受信した指示を制御信号に変換する信号変換部と、
前記Ｗｉ−Ｆｉ照明器具に設けられ、前記変換された制御信号に基づいて点灯又は消灯する光源部と、
を備えることを特徴とする照明制御システム。
【請求項２】
前記Ｗｉ−Ｆｉ照明器具に設けられ、家電製品の赤外線リモコンにおける操作ボタンが押下された場合に、前記端末装置の指示に基づいて、当該赤外線リモコンから発信される赤外線信号を受信する赤外線受信部と、
前記Ｗｉ−Ｆｉ照明器具に設けられ、前記受信された赤外線信号を、前記操作ボタンに対応する操作情報に変換して、前記無線ＬＡＮを介して、前記端末装置に送信する赤外線変換部と、
前記端末装置に設けられ、前記Ｗｉ−Ｆｉ照明器具から送信された操作情報を、前記端末装置の操作キーに関連付けて登録する赤外線登録部と、
前記端末装置に設けられ、前記操作キーが選択されると、前記無線ＬＡＮを介して、前記操作キーに登録された操作情報を前記Ｗｉ−Ｆｉ照明器具に発信する家電操作発信部と、
前記Ｗｉ−Ｆｉ照明器具に設けられ、前記端末装置から発信された操作情報が前記Ｗｉ−Ｆｉ照明器具に受信されると、当該操作情報が変換された赤外線信号を発信する赤外線発信部と、
を更に備える
請求項１に記載の照明制御システム。
【請求項３】
前記Ｗｉ−Ｆｉ照明器具に設けられ、前記Ｗｉ−Ｆｉ通信部から撮影指示を受信すると、画像を撮影して、前記無線ＬＡＮを介して、当該撮影画像を前記端末装置の無線通信部に送信するカメラ部と、
前記端末装置に設けられ、撮影キーが選択されると、前記無線ＬＡＮを介して、前記撮影指示を前記Ｗｉ−Ｆｉ通信部に発信し、前記無線ＬＡＮを介して、前記撮影画像を受信すると、当該撮影画像を表示する撮影制御部と、
を更に備える
請求項１又は２に記載の照明制御システム。
【請求項４】
インターネットと接続可能な無線ＬＡＮと無線接続する無線通信部を備える端末装置と、Ｗｉ−Ｆｉ通信部を備えるＷｉ−Ｆｉ照明器具とを備える照明制御システムの照明制御方法であって、
前記端末装置に設けられ、ユーザーの操作により、前記無線ＬＡＮのＳＳＩＤと、当該無線ＬＡＮへの接続を許可するためのＰＷとを前記Ｗｉ−Ｆｉ照明器具のＷｉ−Ｆｉ通信部に登録させることで、前記無線ＬＡＮに対する当該Ｗｉ−Ｆｉ通信部の無線接続を許可する無線許可ステップと、
前記端末装置に設けられ、前記Ｗｉ−Ｆｉ照明器具の点灯又は消灯のキーが選択されると、前記無線ＬＡＮ又は前記インターネットを介して、前記端末装置の無線通信部から前記キーに対応する指示を前記Ｗｉ−Ｆｉ照明器具のＷｉ−Ｆｉ通信部に発信する指示発信ステップと、
前記Ｗｉ−Ｆｉ照明器具に設けられ、前記Ｗｉ−Ｆｉ照明器具のＷｉ−Ｆｉ通信部が受信した指示を制御信号に変換する信号変換ステップと、
前記Ｗｉ−Ｆｉ照明器具に設けられ、前記変換された制御信号に基づいて点灯又は消灯する光源ステップと、
を備えることを特徴とする照明制御方法。
【発明の詳細な説明】
【技術分野】
【０００１】
本発明は、照明制御システム及び照明制御方法に関する。
【背景技術】
【０００２】
従来、無線を介して照明器具の点灯や家電装置の制御を行う技術は多数存在する。例えば、特開２０１４−７８４８３号公報（特許文献１）、実用新案登録第３１８２１５０号公報（特許文献２）には、照明器具を制御するための電力供給機器が開示されている。電力供給機器は、マイクロプロセッサと、入力交流を直流に変換するためにマイクロプロセッサに連結される電力変換ユニットと、無線信号を受信してかつ送信するためにマイクロプロセッサに連結される無線通信モジュールと、マイクロプロセッサに連結されるネットワークモジュールと、照明器具の発光素子を駆動するためにマイクロプロセッサに連結されるドライバ回路と、を備える。これにより、発光素子の状態を無線通信を通じて制御することが出来るとしている。
【０００３】
又、特表２０１４−５０７９０３号公報（特許文献３）には、コントローラと電力制御ユニットの間のピアツーピア・ワイヤレス通信リンクを使用して、電気装置への電気の供給を変化させるための、電力制御ユニットおよび電力制御ユニットを使用する方法が開示されている。通信リンクは、Ｗｉ−ＦｉダイレクトまたはＢｌｕｅｔｏｏｔｈ（登録商標）通信技術を使用して確立するとしている。
【０００４】
又、特開２０１５−１８６１９１号公報（特許文献４）には、電気製品の設定情報を記憶する記憶媒体、若しくは記憶媒体を備える端末と直接通信可能になったことを検出する検出部と、検出部が直接通信可能であることを検出した場合に、記憶媒体から設定情報を取得して、複数の電気製品それぞれに、対応する設定情報を送信する制御部と、を備える通信機器が開示されている。
【先行技術文献】
【特許文献】
【０００５】
【特許文献１】特開２０１４−７８４８３号公報
【特許文献２】実用新案登録第３１８２１５０号公報
【特許文献３】特表２０１４−５０７９０３号公報
【特許文献４】特開２０１５−１８６１９１号公報
【発明の概要】
【発明が解決しようとする課題】
【０００６】
ところで、端末装置、特に、スマートフォン等の携帯端末装置の普及により、どのようなユーザーも手軽に無線通信を利用することが可能となっている。又、照明器具にも無線通信機能が設けられるようになっている。しかしながら、このような端末装置を照明器具の制御に上手く利用出来ておらず、ユーザーの利便性に欠けるという課題がある。
【０００７】
上述した特許文献１−４に記載の技術では、無線通信で照明器具の制御を行ったり、端末装置で電気装置の制御を行ったりしているものの、ユーザーの満足度を十分に高めることが出来ない。
【０００８】
そこで、本発明は、前記課題を解決するためになされたものであり、端末装置及び無線ＬＡＮを利用して照明の点灯及び消灯を制御することが可能な照明制御システム及び照明制御方法を提供することを目的とする。
【課題を解決するための手段】
【０００９】
本発明者は、鋭意研究を重ねた結果、本発明に係る新規な照明制御システム及び照明制御方法を完成させた。即ち、本発明に係る照明制御システムは、インターネットと接続可能な無線ＬＡＮと無線接続する無線通信部を備える端末装置と、Ｗｉ−Ｆｉ通信部を備えるＷｉ−Ｆｉ照明器具とを備える照明制御システムであって、無線許可部と、指示発信部と、信号変換部と、光源部と、を備える。無線許可部は、前記端末装置に設けられ、ユーザーの操作により、前記無線ＬＡＮのＳＳＩＤと、当該無線ＬＡＮへの接続を許可するためのＰＷとを前記Ｗｉ−Ｆｉ照明器具のＷｉ−Ｆｉ通信部に登録させることで、前記無線ＬＡＮに対する当該Ｗｉ−Ｆｉ通信部の無線接続を許可する。指示発信部は、前記端末装置に設けられ、前記Ｗｉ−Ｆｉ照明器具の点灯又は消灯のキーが選択されると、前記無線ＬＡＮ又は前記インターネットを介して、前記端末装置の無線通信部から前記キーに対応する指示を前記Ｗｉ−Ｆｉ照明器具のＷｉ−Ｆｉ通信部に発信する。信号変換部は、前記Ｗｉ−Ｆｉ照明器具に設けられ、前記Ｗｉ−Ｆｉ照明器具のＷｉ−Ｆｉ通信部が受信した指示を制御信号に変換する。光源部は、前記Ｗｉ−Ｆｉ照明器具に設けられ、前記変換された制御信号に基づいて点灯又は消灯する。
【００１０】
又、本発明に係る照明制御方法は、インターネットと接続可能な無線ＬＡＮと無線接続する無線通信部を備える端末装置と、Ｗｉ−Ｆｉ通信部を備えるＷｉ−Ｆｉ照明器具とを備える照明制御システムの照明制御方法であって、無線許可ステップと、指示発信ステップと、信号変換ステップと、光源ステップと、を備える。無線許可ステップは、前記端末装置に設けられ、ユーザーの操作により、前記無線ＬＡＮのＳＳＩＤと、当該無線ＬＡＮへの接続を許可するためのＰＷとを前記Ｗｉ−Ｆｉ照明器具のＷｉ−Ｆｉ通信部に登録させることで、前記無線ＬＡＮに対する当該Ｗｉ−Ｆｉ通信部の無線接続を許可する。指示発信ステップは、前記端末装置に設けられ、前記Ｗｉ−Ｆｉ照明器具の点灯又は消灯のキーが選択されると、前記無線ＬＡＮ又は前記インターネットを介して、前記端末装置の無線通信部から前記キーに対応する指示を前記Ｗｉ−Ｆｉ照明器具のＷｉ−Ｆｉ通信部に発信する。信号変換ステップは、前記Ｗｉ−Ｆｉ照明器具に設けられ、前記Ｗｉ−Ｆｉ照明器具のＷｉ−Ｆｉ通信部が受信した指示を制御信号に変換する。光源ステップは、前記Ｗｉ−Ｆｉ照明器具に設けられ、前記変換された制御信号に基づいて点灯又は消灯する。
【発明の効果】
【００１１】
本発明によれば、端末装置及び無線ＬＡＮを利用して照明の点灯及び消灯を制御することが可能となる。
【図面の簡単な説明】
【００１２】
【図１】本発明に係る照明制御システムの概略図である。
【図２】本発明に係る照明制御システムの機能ブロック図である。
【図３】本発明に係る照明制御システムの点灯及び消灯の実行手順を示すフローチャートである。
【図４】無線ＬＡＮの接続設定を示す概略図（図４Ａ）と、無線ＬＡＮ及びインターネットでの点灯制御を示す概略図（図４Ｂ）と、である。
【図５】無線ＬＡＮでの調光及び調色の制御を示す概略図（図５Ａ）と、無線ＬＡＮでの点灯及び消灯のスケジュール管理を示す概略図（図５Ｂ）と、である。
【図６】無線ＬＡＮでの点灯及び消灯のイベント制御を示す概略図（図６Ａ）と、無線ＬＡＮでの点灯及び消灯の位置制御を示す概略図（図６Ｂ）と、である。
【図７】本発明に係る照明制御システムの家電操作の実行手順を示すフローチャートである。
【図８】家電製品選択画面及び家電製品操作画面を示す概略図（図８Ａ）と、赤外線信号の操作情報の登録を示す概略図（図８Ｂ）と、である。
【図９】無線ＬＡＮでの家電操作を示す概略図（図９Ａ）と、無線ＬＡＮ及びインターネットでの家電操作を示す概略図（図９Ｂ）と、である。
【図１０】複数のカメラ部の構成を示す概略図（図１０Ａ）と、無線ＬＡＮ及びインターネットでの画像撮影を示す概略図（図１０Ｂ）と、である。
【図１１】カメラ部の撮影角度の変更と無線ＬＡＮ及びインターネットでの画像撮影を示す概略図（図１１Ａ）と、赤外線検知部を備えた場合の無線ＬＡＮ及びインターネットでの画像撮影を示す概略図（図１１Ｂ）と、である。
【図１２】携帯端末装置と、複数のＷｉ−Ｆｉ照明器具とで構成された本発明に係る照明制御システムを示す概略図である。
【図１３】本発明に係る照明制御システムにおいてサーバーを備えた場合の概略図である。
【発明を実施するための形態】
【００１３】
以下に、添付図面を参照して、本発明の実施形態について説明し、本発明の理解に供する。尚、以下の実施形態は、本発明を具体化した一例であって、本発明の技術的範囲を限定する性格のものではない。
【００１４】
本発明に係る照明制御システム１は、図１に示すように、無線通信可能な端末装置１０と、Ｗｉ−Ｆｉ通信部１１ａを備えるＷｉ−Ｆｉ照明器具１１とから基本的に構成されている。
【００１５】
ここで、端末装置１０は、例えば、タッチパネル付きの携帯端末装置（スマートフォン）、ウェアラブル端末装置、携帯用のノートパソコン等である。端末装置１０には、画面を表示する表示部（出力部）と、ユーザーの操作により所定の指示の入力を受け付ける受付部（入力部）と、無線通信部とを備えている。
【００１６】
端末装置１０の無線通信部は、Ｗｉ−Ｆｉ用のアクセスポイント（親機）及びルーターを介してインターネット１２と無線通信したり、３Ｇ、４Ｇ、４Ｇ  ＬＴＥ等の基地局（携帯電話通信網）を介してインターネット１２と無線通信したりすることが出来る。又、Ｗｉ−Ｆｉ照明器具１１が設置される部屋には、例えば、Ｗｉ−Ｆｉ用のアクセスポイント１２ａと、ルーター１２ｂとが予め設けられており、端末装置１０の無線通信部は、電波でアクセスポイント１２ａと通信し、ルーター１２ｂを介してインターネット１２に接続することが出来る。
【００１７】
Ｗｉ−Ｆｉ照明器具１１は、一般的な構成である光源部を備えているが、更に、Ｗｉ−Ｆｉ通信部１１ａと、Ｗｉ−Ｆｉ通信部１１ａが受信した指示（電波を含む）を光源部用の点灯制御信号に変換する信号変換部１１ｂとを備えている。
【００１８】
又、Ｗｉ−Ｆｉ照明器具１１が設置される部屋には、例えば、ＴＶ、エアコン、ゲーム、音響装置、空気清浄機、掃除機等の家電製品１３が設けられており、家電製品１３は、赤外線信号を受信する赤外線受信部１３ａを備え、赤外線リモコン１３ｂの赤外線発信部１３ｃにより赤外線信号が送信されると、家電製品１３の赤外線受信部１３ａは、当該赤外線信号を受信し、家電製品１３は、赤外線信号の操作情報に基づいて駆動する。家電製品１３は、操作情報の種類に応じた駆動を実現する。これに対応して、Ｗｉ−Ｆｉ照明器具１１には、更に、赤外線受信部１１ｃと、赤外線発信部１１ｄと、赤外線信号をＷｉ−Ｆｉ通信部１１ａ用の操作情報に変換する赤外線変換部１１ｅとが設けられる場合がある。又、Ｗｉ−Ｆｉ照明器具１１には、カメラ部１１ｆが設けられる場合がある。
【００１９】
尚、端末装置１０、Ｗｉ−Ｆｉ照明器具１１は、図示しないＣＰＵ、ＲＯＭ、ＲＡＭ、等を内蔵しており、ＣＰＵは、例えば、ＲＡＭを作業領域として利用し、ＲＯＭ等に記憶されているプログラムを実行する。又、後述する各部についても、ＣＰＵがプログラムを実行することで当該各部を実現する。
【００２０】
次に、図２、図３を参照しながら、本発明の実施形態に係る構成及び実行手順について説明する。先ず、ユーザーが照明制御システム１を構築する場合、Ｗｉ−Ｆｉ照明器具１１を購入し、Ｗｉ−Ｆｉ照明器具１１の電力変換部２０１を部屋の天井の交流電源部２０に電気的に接続して、Ｗｉ−Ｆｉ照明器具１１を天井に設置する（図３：Ｓ１０１）。これにより、Ｗｉ−Ｆｉ照明器具１１に電力が供給される。
【００２１】
次に、ユーザーが、照明制御システム１のためのアプリケーションを端末装置１０（例えば、携帯端末装置）にダウンロードする（図３：Ｓ１０２）。アプリケーションは、ユーザーが携帯端末装置１０を、部屋に設置されたアクセスポイント１２ａの無線ＬＡＮ（ネットワーク）に無線接続し、無線ＬＡＮを介して接続されるインターネット１２上の特定のＷｅｂサイトからダウンロードするか、Ｗｉ−Ｆｉ照明器具１１に同封された記録媒体のＱＲコード（登録商標）をスキャンして、インターネット１２上の特定のＷｅｂサイトを閲覧し、ダウンロードするかよって得られる。
【００２２】
そして、ユーザーが、ダウンロードしたアプリケーションを起動すると（図３：Ｓ１０３）、アプリケーションの無線許可部３０１が、本携帯端末装置１０が無線接続可能な無線ＬＡＮに対するＷｉ−Ｆｉ照明器具１１のＷｉ−Ｆｉ通信部２０２の無線接続を許可する。
【００２３】
具体的には、図４Ａに示すように、携帯端末装置１０の無線許可部３０１は、携帯端末装置１０の無線通信部３０２を介してアクセスポイント１２ａから無線ＬＡＮのＳＳＩＤ（Ｓｅｒｖｉｃｅ  Ｓｅｔ  Ｉｄｅｎｔｉｆｉｅｒ）（ネットワーク名、ネットワークＩＤ、ホームゲートウェイ）を取得する。このＳＳＩＤは、無線ＬＡＮのアクセスポイント１２ａを識別するための識別情報である。無線許可部３０１は、前記取得したＳＳＩＤを、携帯端末装置１０の表示部の設定画面４００に表示して、無線ＬＡＮへの接続を許可するためのパスワード（ＰＷ）の入力を求める。
【００２４】
ユーザーは、設定画面４００を見ながら、ＰＷを入力し、設定キー４０１を選択すると、無線許可部３０１は、無線通信部３０２を介してＷｉ−Ｆｉ照明器具１１のＷｉ−Ｆｉ通信部２０２と無線通信し、Ｗｉ−Ｆｉ通信部２０２にＳＳＩＤとＰＷとを登録させることで、無線ＬＡＮの設定を行う（無線接続を許可する）（図３：Ｓ１０４）。これにより、Ｗｉ−Ｆｉ照明器具１１を天井に装着した後であっても、携帯端末装置１０を用いてＷｉ−Ｆｉ照明器具１１の無線ＬＡＮの接続設定を簡単に行うことが可能となる。特に、Ｗｉ−Ｆｉ照明器具１１は、通常、先に、天井に装着されて、電力供給されるため、その後に、Ｗｉ−Ｆｉ照明器具１１の無線ＬＡＮの接続設定を行う必要がある。その際に、ユーザーが、脚立等に登って、Ｗｉ−Ｆｉ照明器具１１を直接操作して、無線ＬＡＮの接続設定を行うことは、極めて手間となる。本発明では、ユーザーは、床面で、携帯端末装置１０の操作によりＷｉ−Ｆｉ照明器具１１の無線ＬＡＮの接続設定を簡単に行うことが出来るため、ユーザーがＷｉ−Ｆｉ照明器具１１を直接操作する必要性が無く、Ｗｉ−Ｆｉ照明器具１１の装着後に、再度、脚立等に登る必要性が無くなり、ユーザーの利便性を向上させる。
【００２５】
無線ＬＡＮの設定の後、Ｗｉ−Ｆｉ照明器具１１のＷｉ−Ｆｉ通信部２０２は、ＳＳＩＤ及びＰＷを用いて、電波でアクセスポイント１２ａと通信し、無線ＬＡＮに接続したり、無線ＬＡＮを介してルーター１２ｂから外部のインターネット１２に接続したりすることが出来る（図３：Ｓ１０５）。これにより、照明制御システム１が構築される。
【００２６】
次に、ユーザーが、携帯端末装置１０のアプリケーションを用いてＷｉ−Ｆｉ照明器具１１の点灯を制御する場合は、下記のようになる。即ち、ユーザーが、Ｗｉ−Ｆｉ照明器具１１が設置された部屋へ入り、携帯端末装置１０のアプリケーションを起動させて（図３：Ｓ２０１）、点灯制御操作に遷移させると、アプリケーションの指示発信部３０３が、図４Ｂに示すように、携帯端末装置１０の表示部に点灯制御画面４０２を表示して、点灯指示の入力を受け付ける。
【００２７】
ユーザーは、点灯制御画面４０２を見ながら、例えば、点灯キー４０３を選択すると、指示発信部３０３が、無線通信部３０２から、前記点灯キーに対応する点灯指示の電波を発信し、無線ＬＡＮを介して、Ｗｉ−Ｆｉ照明器具１１のＷｉ−Ｆｉ通信部２０２に点灯指示を発信する（図３：Ｓ２０２）。
【００２８】
Ｗｉ−Ｆｉ照明器具１１のＷｉ−Ｆｉ通信部２０２が前記点灯指示を受信すると、Ｗｉ−Ｆｉ照明器具１１の信号変換部２０３が、Ｗｉ−Ｆｉ通信部２０２からの点灯指示を点灯制御信号に変換する（図３：Ｓ２０３）。
【００２９】
ここで、例えば、信号変換部２０３は、Ｗｉ−Ｆｉ照明器具１１の光源部２０４の点灯及び消灯を制御するドライバ部（コントローラ部）に対応し、無線ＬＡＮでの指示（電波）を、光源部２０４の制御のための信号に変換する。尚、ドライバ部は、Ｗｉ−Ｆｉ照明器具１１に内蔵しても、外部で取り付け可能に構成されても良い。
【００３０】
信号変換部２０３は、変換後の点灯制御信号を光源部２０４に送信し、光源部２０４は、前記点灯制御信号に基づいて点灯する（図３：Ｓ２０４）。これにより、携帯端末装置１０で無線ＬＡＮによりＷｉ−Ｆｉ照明器具１１を点灯させることが可能となる。特に、携帯端末装置１０でＷｉ−Ｆｉ照明器具１１を制御出来ることから、Ｗｉ−Ｆｉ照明器具１１の専用のリモコンが不要になる。
【００３１】
一方、Ｗｉ−Ｆｉ照明器具１１が点灯状態である場合、ユーザーが、点灯制御画面４０２の消灯キー４０４を選択すると、指示発信部３０３が、無線ＬＡＮを介して、Ｗｉ−Ｆｉ照明器具１１に消灯指示を送信し（図３：Ｓ２０２）、信号変換部２０３は、前記消灯指示を消灯制御信号に変換する（図３：Ｓ２０３）。そして、光源部２０４は、前記消灯制御信号に基づいて消灯する（図３：Ｓ２０４）。これにより、携帯端末装置１０で無線ＬＡＮによりＷｉ−Ｆｉ照明器具１１を消灯させることが可能となる。このように、無線ＬＡＮが接続可能な範囲において携帯端末装置１０でＷｉ−Ｆｉ照明器具１１の点灯制御が可能となるため、従来のリモコン操作と比較して、Ｗｉ−Ｆｉ照明器具１１が設置された部屋に居る必要性が無く、ユーザーが無線ＬＡＮと接続可能な範囲に居れば、携帯端末装置１０でＷｉ−Ｆｉ照明器具１１を点灯制御出来る。例えば、ユーザーが、外出時に、玄関でＷｉ−Ｆｉ照明器具１１を消灯したり、帰宅時に、玄関でＷｉ−Ｆｉ照明器具１１を点灯したりすることが出来る。このように、Ｗｉ−Ｆｉ照明器具１１の制御を携帯端末装置１０で無線ＬＡＮを介して簡単に行うことが出来ることから、ユーザーの利便性を向上させる。
【００３２】
又、上述したＷｉ−Ｆｉ照明器具１１の点灯及び消灯は、インターネット１２に接続される無線ＬＡＮを介して行っていることから、Ｗｉ−Ｆｉ照明器具１１の部屋におらず外部にいるユーザーが、携帯端末装置１０でインターネット１２から無線ＬＡＮへ点灯指示又は消灯指示を発信することが出来る。
【００３３】
例えば、図４Ｂに示すように、ユーザーが外出している場合、ユーザーが点灯制御画面４０２の所定のキーを選択すると、指示発信部３０３が、無線通信部２０２を用いて、基地局を介してインターネット１２に接続し、無線ＬＡＮ（アクセスポイント１２ａ及びルーター１２ｂ）を介してＷｉ−Ｆｉ照明器具１１のＷｉ−Ｆｉ通信部２０２に点灯指示又は消灯指示を発信することが可能であり、外部でもＷｉ−Ｆｉ照明器具１１の点灯又は消灯を制御することが出来る。この際、インターネット１２内にサーバーを設けて、サーバーが、携帯端末装置１０からＷｉ−Ｆｉ照明器具１１への点灯指示又は消灯指示の送信を制御しても良い。
【００３４】
又、Ｗｉ−Ｆｉ照明器具１１の光源部２０４が、例えば、照明のパラメーターである調光（Ｂｒｉｇｈｔｎｅｓｓ）及び調色（Ｃｏｌｏｒ  Ｔｅｎｍｅｒａｔｕｒｅ）を調整することが出来る場合、携帯端末装置１０を介して様々な調光及び調色で光源部２０４を点灯させることが出来る。例えば、アプリケーションがシーン点灯操作に遷移すると、図５Ａに示すように、シーン点灯画面５００には、各シーン（例えば、全灯、テレビ、常夜灯、夕食、睡眠モード、読書等）毎に調光及び調色がそれぞれ設定されたシーン点灯キー５０１が表示され、更に、調光を調整可能な調光調整キー５０２と、調色を調整可能な調色調整キー５０３とが表示される。ユーザーは、例えば、「テレビ」に対応するシーン点灯キー５０１ａを選択すると、指示発信部３０３が、ユーザーが「テレビ」を視聴する場合に最適と考えられる調光及び調色を含む点灯指示をＷｉ−Ｆｉ照明器具１１に発信する。すると、信号変換部２０３は、Ｗｉ−Ｆｉ通信部２０２からの前記点灯指示を、調光及び調色のパラメーターを含む点灯制御信号に変換し、光源部２０４は、当該点灯制御信号により、前記調光及び調色を反映させて点灯する。又、ユーザーが、調光調整キー５０２又は調色調整キー５０３を調整すれば、そのパラメーターがＷｉ−Ｆｉ照明器具１１へ送られ、光源部２０４の調光又は調色が調整される。これにより、携帯端末装置１０を介してＷｉ−Ｆｉ照明器具１１の点灯を木目細かく制御することが可能となる。
【００３５】
又、Ｗｉ−Ｆｉ照明器具１１の点灯及び消灯のスケジュール管理することが可能である。例えば、アプリケーションが管理点灯操作に遷移すると、図５Ｂに示すように、管理点灯画面５０４には、点灯時間を入力する点灯時間欄５０５と、点灯のシーンを設定する点灯状態欄５０６と、消灯時間を入力する消灯時間欄５０７とが表示される。ユーザーは、例えば、点灯時間欄５０５に特定の時間「９：００」を入力し、点灯状態欄５０６に特定のシーン「全灯」を入力する。すると、指示発信部３０３が、入力された点灯時間と、携帯端末装置１０に予め設けられた所定のタイマーの現在時間とを比較し、現在時間が点灯時間になった場合に、指示発信部３０３は、「全灯」を含む点灯指示を発信し、光源部２０４は、変換後の「全灯」を含む点灯制御信号に基づいて全灯で点灯する。又、ユーザーが、消灯時間欄５０７に特定の時間「９：０５」を入力すると、現在時間が消灯時間になった場合に、指示発信部３０３は、消灯指示を発信し、光源部２０４は、変換後の消灯制御信号に基づいて消灯する。このように、ユーザーは、点灯時間及び消灯時間を制御することが可能となる。又、管理点灯画面５０４には、日付を入力する日付欄５０８と、一週間のうち、特定の曜日を入力する曜日欄５０９とが設けられ、ユーザーが、点灯又は消灯する日付や曜日を指定して、生活リズムに合わせて、Ｗｉ−Ｆｉ照明器具１１の点灯及び消灯を制御することが出来る。
【００３６】
又、Ｗｉ−Ｆｉ照明器具１１の点灯及び消灯をイベントに合わせて制御することが可能である。例えば、アプリケーションがイベント点灯操作に遷移すると、図６Ａに示すように、イベント点灯画面６００には、イベント（例えば、起床通知、サッカー観戦、トレーニング、デート等）を入力するイベント欄６０１と、イベントが発生する日付及び時間を入力する日付及び時間欄６０２と、点灯状態（例えば、白色点滅、全灯等）に対応する通知方法を入力する通知方法欄６０３とが表示される。ユーザーは、例えば、イベント欄６０１に特定のイベント「起床通知」を入力し、日付及び時間欄６０２に特定の日付及び時間「２０１５／１２／２１  ０９：００」を入力し、通知方法欄６０３に特定の通知方法「白色点滅」を入力する。すると、指示発信部３０３が、入力された「２０１５／１２／２１  ０９：００」と現在の日付及び時間とを比較し、現在の日付及び時間が「２０１５／１２／２１  ０９：００」になった場合に、指示発信部３０３は、「白色点滅」を含む点灯指示を発信し、光源部２０４は、変換後の「白色点滅」の点灯制御信号により、白色点滅する。これにより、ユーザーが日時を指定して、Ｗｉ−Ｆｉ照明器具１１の点灯を通知手段として利用することが出来る。
【００３７】
又、携帯端末装置１０のＧＰＳ位置情報に基づいてＷｉ−Ｆｉ照明器具１１の点灯及び消灯を制御することが出来る。例えば、アプリケーションが位置点灯操作に遷移すると、図６Ｂに示すように、位置点灯画面６０４には、ユーザーの携帯端末装置１０のＧＰＳ位置情報を示す地図６０５と、地図に示されたＧＰＳ位置に帰って来た時に点灯することを指示する点灯チェックボックス６０６と、点灯について日中は不要であることを指示する不要チェックボックス６０７と、前記ＧＰＳ位置から離れた時に消灯することを指示する消灯チェックボックス６０８とが表示される。位置点灯画面６０４が表示されると、携帯端末装置１０の指示発信部３０３は、携帯端末装置１０に予め設けられた所定のＧＰＳ取得部から携帯端末装置１０の現在のＧＰＳ位置情報（例えば、「ＸＹ」）を取得し、位置点灯画面６０４の地図６０５にＧＰＳ位置を表示させる。ここで、ユーザーが、点灯チェックボックス６０６及び消灯チェックボックス６０８にチェックを入力した場合、指示発信部３０３は、前記ＧＰＳ位置情報「ＸＹ」を判定位置情報として所定のメモリーに記憶させ、ＧＰＳ取得部から定期的にＧＰＳ位置情報を取得し、取得したＧＰＳ位置情報が、判定位置情報「ＸＹ」を中心として所定の距離（例えば、１００ｍ、５００ｍ等）だけ離れた範囲（領域）である判定範囲内に含まれるか否かを判定する。
【００３８】
ここで、ユーザーが、例えば、携帯端末装置１０を所持して、Ｗｉ−Ｆｉ照明器具１１を点灯した状態で部屋から外出した場合、判定の結果、ＧＰＳ位置情報が判定範囲外になる。この場合、指示発信部３０３は、消灯チェックボックス６０８のチェックに基づいて消灯指示をインターネット１２を介して発信する。光源部２０４は、信号変換部２０３を介して受信した消灯制御信号により消灯する。一方、ユーザーが、携帯端末装置１０を所持して、部屋に戻ろうとした場合、判定の結果、携帯端末装置１０のＧＰＳ位置情報が、判定範囲外から判定範囲内になる。この場合、指示発信部３０３は、点灯チェックボックス６０６のチェックに基づいて点灯指示をインターネット１２を介して発信し、光源部２０４は、変換後の点灯制御信号により点灯する。
【００３９】
これにより、ユーザーの所有する携帯端末装置１０の動きに合わせてＷｉ−Ｆｉ照明器具１１の点灯及び消灯を制御することが出来る。尚、不要チェックボックス６０７がチェックされている場合には、指示発信部３０３は、日中（例えば、９：００〜１７：００）において、前記判定を禁止し、日中における意味の無いＷｉ−Ｆｉ照明器具１１の点灯及び消灯の制御を停止させる。
【００４０】
次に、Ｗｉ−Ｆｉ照明器具１１に赤外線受信部１１ｃと赤外線発信部１１ｄとが設けられている場合、Ｗｉ−Ｆｉ照明器具１１のＷｉ−Ｆｉ通信部２０２を利用して、赤外線リモコン１３ｂで操作される家電製品１３を携帯端末装置１０で操作することが出来る。図２、図７を参照しながら、その構成及び実行手順について説明する。
【００４１】
先ず、ユーザーが、携帯端末装置１０のアプリケーションを起動させて（図７：Ｓ３０１）、家電製品操作に遷移させると、アプリケーションの家電操作発信部３０４が、図８Ａに示すように、家電製品選択画面８００を携帯端末装置１０の表示部に表示して、家電製品の選択を受け付ける。家電製品選択画面８００には、家電製品１３の名称８０１と、家電製品１３を示すアイコン８０２とが表示される。家電製品１３の名称８０１は編集することが可能であり、家電製品１３のアイコン８０２は、特定の追加キー８０３（例えば、「＋」）で追加することが出来る。
【００４２】
ユーザーが、例えば、家電製品１３の名称８０１ａ「ＴＶ」に対応するアイコン８０２ａを選択すると（図７：Ｓ３０２）、家電操作発信部３０４が、図８Ａに示すように、「ＴＶ」に対応する家電製品操作画面８０４を携帯端末装置１０の表示部に表示して、家電製品１３の選択を受け付ける。家電製品操作画面８０４には、「ＴＶ」の家電製品１３に関係する操作キー８０５と、操作キー８０５に赤外線を登録する（学習させる）登録キー８０６とが表示される。操作キー８０５のアイコンは編集することが可能である。
【００４３】
ここで、操作キー８０５は、未だ何も登録されていないため、ユーザーが、「電源」を示す特定の操作キー８０５ａと登録キー８０６とを選択すると、アプリケーションの赤外線登録部３０５が、図８Ｂに示すように、家電製品１３の赤外線リモコン１３ｂにおける、特定の操作キー８０５ａの「電源」に対応する特定の操作ボタンの押下を促す登録画面８０７を携帯端末装置１０の表示部に表示する。そして、赤外線登録部３０５が、Ｗｉ−Ｆｉ照明器具１１の赤外線受信部２０５に赤外線信号の受信を指示し、赤外線受信部２０５が、赤外線信号の受信を開始する（図７：Ｓ３０３）。ここで、Ｗｉ−Ｆｉ照明器具１１が設置された部屋では、ユーザーが生活のため赤外線リモコン１３ｂを利用することにより、様々な赤外線信号が往来している可能性があり、その都度、赤外線受信部２０５が、この赤外線信号を受信すると、無駄が生じる。上述のように、携帯端末装置１０の指示により、赤外線受信部２０５が、赤外線信号の受信を開始することで、必要な赤外線信号のみを受信することが出来る。
【００４４】
ユーザーが、登録画面８０７を見ながら、「電源」の操作キー８０５ａに対応して、家電製品１３の赤外線リモコン１３ｂにおける「電源」の操作ボタンを押下すると（図７：Ｓ３０４）、赤外線リモコン１３ｂから、「電源」の操作情報を含む赤外線信号が発信され、赤外線受信部２０５が、赤外線リモコン１３ｂの操作ボタンに対応する赤外線信号を受信する（図７：Ｓ３０５）。ここで、図８Ｂに示すように、「ＴＶ」の家電製品１３が存在する場合には、赤外線リモコン１３ｂからの赤外線信号により、家電製品１３に電源が投入される。
【００４５】
そして、赤外線受信部２０５が、赤外線リモコン１３ｂの操作ボタンに対応する赤外線信号を受信すると、Ｗｉ−Ｆｉ照明器具１１の赤外線変換部２０６に送信し、赤外線変換部２０６は、前記赤外線信号を、操作ボタンに対応する操作情報に変換する（図７：Ｓ３０６）。
【００４６】
ここで、例えば、赤外線変換部２０６は、Ｗｉ−Ｆｉ照明器具１１の赤外線受信部１１ｃからの赤外線の解析と、赤外線発信部１１ｄの赤外線の発信を制御するドライバ部に対応し、赤外線信号から、無線ＬＡＮで通信可能な操作情報に変換したり、無線ＬＡＮから通信された操作情報を赤外線信号に変換したりすることで、無線ＬＡＮを介して赤外線受信部１１ｃ及び赤外線発信部１１ｄを制御することが出来る。尚、ドライバ部は、上述と同様に、Ｗｉ−Ｆｉ照明器具１１に内蔵しても、外部で取り付け可能に構成されても良い。
【００４７】
そして、赤外線変換部２０６は、変換された操作情報をＷｉ−Ｆｉ通信部２０２を介して無線ＬＡＮに送信し、赤外線登録部３０５は、無線通信部３０２を介して、前記操作情報を取得し、前記選択された「電源」の特定の操作キー８０５ａに関連付けて登録する（図７：Ｓ３０７）。これにより、携帯端末装置１０における家電製品操作画面８０４の操作キー８０５に、赤外線信号の操作情報を登録することが可能となる。
【００４８】
赤外線登録部３０５が登録を完了すると、登録画面８０７を消去し、家電操作発信部３０４が、図９Ａに示すように、「ＴＶ」に対応する家電製品操作画面８０４を再表示する。
【００４９】
ここで、ユーザーが、「ＴＶ」の家電製品１３の電源を切断し、家電製品操作画面８０４の「電源」の操作キー８０５ａを選択すると（図７：Ｓ４０１）、家電操作発信部３０４が、無線通信部３０２を介して、「電源」の操作キー８０５ａに登録された操作情報の電波を発信する（図７：Ｓ４０２）。
【００５０】
Ｗｉ−Ｆｉ照明器具１１のＷｉ−Ｆｉ通信部２０２が、無線ＬＡＮを介して、前記操作情報を受信すると、赤外線変換部２０６は、前記受信された操作情報を赤外線信号に変換する（図７：Ｓ４０３）。
【００５１】
そして、赤外線変換部２０６は、変換後の赤外線信号を赤外線発信部２０７に送信し、赤外線発信部２０７は、当該赤外線信号を発信する（図７：Ｓ４０４）。すると、Ｗｉ−Ｆｉ照明器具１１からの赤外線信号により、赤外線リモコン１３ａからの赤外線信号と同様に、「ＴＶ」の家電製品１３に電源が投入される。これにより、携帯端末装置１０及びＷｉ−Ｆｉ照明器具１１を、家電製品１３の赤外線リモコン１３ａの代わりに利用することが可能となる。特に、Ｗｉ−Ｆｉ照明器具１１から赤外線信号を発信する構成とすることで、天井から部屋の隅々まで赤外線信号を発信することが出来ることから、部屋の周壁面に設置される可能性が高い家電製品１３へ赤外線信号を確実に送信し、家電製品１３の操作を確実にすることが出来る。例えば、家電製品１３の周りに、障害物となる物が置かれ、赤外線リモコン１３ａと家電製品１３との間で、家電製品１３の赤外線センサーの前に、簡単な障害物があると、赤外線センサーは、赤外線信号を受信することが出来ず、家電製品１３は操作されない。本発明では、天井のＷｉ−Ｆｉ照明器具１１から赤外線信号を発信するため、家電製品１３の赤外線センサーの前に障害物があっても、上方から見れば、障害物が無いことになるから、家電製品１３の赤外線センサーは、赤外線信号を確実に受信することが出来るのである。
【００５２】
又、Ｗｉ−Ｆｉ照明器具１１からの赤外線信号の発信は、インターネット１２に接続される無線ＬＡＮを介して行っていることから、携帯端末装置１０を有するユーザーは、外部からでも当該赤外線信号の発信を行うことが出来る。例えば、図９Ｂに示すように、ユーザーが外出している場合、基地局を介して携帯端末装置１０をインターネット１２に接続し、携帯端末装置１０の家電製品操作画面９００において、「エアコン」の家電製品１３に関係し、「電源」の操作ボタンにおける赤外線信号の操作情報を予め登録した「電源」の操作キー９０１を選択する。すると、家電操作発信部３０４が、インターネット１２を介して、「電源」の操作キー９０１に登録された赤外線信号の操作情報をＷｉ−Ｆｉ照明器具１１に送信し、Ｗｉ−Ｆｉ照明器具１１の赤外線変換部２０６は、前記送信された「電源」の操作情報を赤外線信号に変換し、Ｗｉ−Ｆｉ照明器具１１の赤外線発信部２０７は、変換された赤外線信号を発信し、「エアコン」の家電製品１３に電源を投入することが出来る。
【００５３】
又、家電製品１３の操作のスケジュール管理、イベントに合わせた操作制御、携帯端末装置１０のＧＰＳ位置情報に基づいた操作制御も、上述のＷｉ−Ｆｉ照明器具１１の点灯及び消灯と同様に行うことが可能となる。
【００５４】
更に、Ｗｉ−Ｆｉ照明器具１１にカメラ部１１ｆが設けられている場合、Ｗｉ−Ｆｉ照明器具１１のＷｉ−Ｆｉ通信部２０２を利用して、Ｗｉ−Ｆｉ照明器具１１をネットワークカメラとして機能させることが可能となり、Ｗｉ−Ｆｉ照明器具１１が設置された部屋内を外部から監視することが出来る。
【００５５】
ここで、カメラ部１１ｆの構成に特に限定は無く、例えば、図１０Ａに示すように、内視鏡のように管状のピンポイント型のカメラ部であり、Ｗｉ−Ｆｉ通信部１１ａに通信可能に接続された配線の先端部に撮影部１１ｇを設け、撮影部１１ｇのレンズがＷｉ−Ｆｉ照明器具１１の周端部の一部から延出されて下方を撮影する構成を挙げることが出来る。又、Ｗｉ−Ｆｉ照明器具１１の下面の中心部１１ｈに光源部が設けられていない場合、この中心部１１ｈに、撮影部１１ｇを設けて、Ｗｉ−Ｆｉ照明器具１１の下面から部屋の全体を撮影する構成でも良い。又、撮影部１１ｇが球状で所定の角度に回動可能な構成である場合、この撮影部１１ｇをＷｉ−Ｆｉ照明器具１１の下面の中心部１１ｈに設けることで、部屋の全体を見回して撮影する構成でも良い。
【００５６】
さて、ユーザーが部屋の外部に居て、Ｗｉ−Ｆｉ照明器具１１のカメラ部１１ｆで部屋内を撮影する場合、携帯端末装置１０のアプリケーションを起動して、ネットワークカメラ操作に遷移させると、アプリケーションの撮影制御部３０６が、図１０Ｂに示すように、携帯端末装置１０の表示部にカメラ撮影画面１０００を表示して、撮影指示の入力を受け付ける。カメラ撮影画面１０００には、撮影キー１００１と、撮影画像１００２（撮影写真）とが表示される。現時点では、撮影画像１００２には何も撮影されていないが、過去、カメラ部１１ｆで撮影した履歴があれば、過去の撮影画像を表示しても良い。
【００５７】
ユーザーが、カメラ撮影画面１０００を見ながら、撮影キー１００１を選択すると、撮影制御部３０６が、無線ＬＡＮを介して、Ｗｉ−Ｆｉ照明器具１１のＷｉ−Ｆｉ通信部２０２に撮影指示を発信する。
【００５８】
Ｗｉ−Ｆｉ照明器具１１のＷｉ−Ｆｉ通信部２０２が、前記撮影指示を受信すると、カメラ部２０８に転送し、当該カメラ部２０８が、画像（写真）を撮影する。そして、カメラ部２０８は、無線ＬＡＮを介して、その画像を無線通信部３０２に返信する。携帯端末装置１０の無線通信部３０２が撮影画像を受信すると、撮影制御部３０６に転送し、撮影制御部３０６は、図１１Ａに示すように、受信した撮影画像１００２をカメラ撮影画面１０００に表示させる。これにより、ユーザーが外出している場合であっても、部屋内を確認することが出来る。リビングや子供部屋、ペットの見回り、防犯に効果的である。カメラ部２０８が回動可能な構成である場合、カメラ撮影画面１０００に回転角度キー１００３が表示され、ユーザーが、回転角度キー１００３を選択して特定の撮影角度（例えば、「１８０度」）を入力すると、撮影制御部３０６は、撮影角度を含む撮影指示をＷｉ−Ｆｉ照明器具１１のカメラ部２０８に発信し、カメラ部２０８は、撮影角度（「１８０度」）に対応して撮影部１１ｇを回動させた後に画像を撮影する。このように、カメラ部２０８の撮影角度を変更することで、ユーザーが気になる部屋内の箇所を撮影し、外部で確認することが可能となる。尚、Ｗｉ−Ｆｉ通信部２０２とカメラ部２０８との間に、適宜、データの変換部を設けて、両者のデータの送受信を円滑にしても良い。
【００５９】
又、Ｗｉ−Ｆｉ照明器具１１のカメラ部１１ｆに、人感センサーに対応する赤外線検知部（赤外線センサー）を設けることで、更に、防犯機能を強化することが出来る。例えば、図１１Ｂに示すように、Ｗｉ−Ｆｉ照明器具１１のカメラ部１１ｆの近傍に赤外線検知部１１ｉを設けて、カメラ部１１ｆの撮影領域と赤外線検知部１１ｉの検知領域とを重ね合せる。そして、この検知領域に、赤外線を発する検知物体、例えば、人やペット等が入ると、赤外線検知部１１ｉが、検知物体が検知領域に侵入したことを検知し、カメラ部１１ｆが、検知物体を含む撮影領域の画像を撮影する。そして、カメラ部１１ｆが撮影画像を、Ｗｉ−Ｆｉ通信部２０２を介して、携帯端末装置１０に発信する。すると、携帯端末装置の撮影制御部３０６は、カメラ撮影画面１０００に、検知物体を含む撮影画像１００４を、例えば、ポップアップ形式で表示するとともに、物体を検知した旨１００５を表示する。これにより、Ｗｉ−Ｆｉ照明器具１１の赤外線検知部１１ｉが検知物体を検知すると、当該検知物体を含む撮影画像が携帯端末装置１０に自動的に送信されるため、ユーザーは、Ｗｉ−Ｆｉ照明器具１１の下方に誰かが侵入したタイミングで部屋内の撮影画像を確認することが可能となる。防犯以外にも、子供やペットの見回りに好適である。更に、Ｗｉ−Ｆｉ照明器具１１に、温度センサー、湿度センサー等のセンサーを別途設けて、部屋内の状態を携帯端末装置１０に送るよう構成しても良い。
【００６０】
又、本発明に係る照明制御システム１では、赤外線検知部を組み合わせることで、ユーザーの動作に合わせた照明制御又は家電操作の自動化を行うことが出来る。例えば、Ｗｉ−Ｆｉ照明器具１１と通信可能に接続された赤外線検知部を部屋の入口（又は玄関）に設置し、赤外線検知部が、部屋に入るユーザー（検知物体）を検知すると、Ｗｉ−Ｆｉ照明器具１１が、光源部２０４を自動的に点灯させたり、赤外線発信部２０７が、家電製品１３の電源を投入する赤外線信号を発信したりする。一方、赤外線検知部が、部屋から出るユーザーを検知すると、Ｗｉ−Ｆｉ照明器具１１が、光源部２０４を自動的に消灯させたり、赤外線発信部２０７が、家電製品１３の電源を切断する赤外線信号を発信したりする。又、Ｗｉ−Ｆｉ照明器具１１に、マイク及びスピーカーを設けることで、無線ＬＡＮを介して、Ｗｉ−Ｆｉ照明器具１１がある部屋のユーザーと、携帯端末装置１０のユーザーと会話を可能にしても良い。又、Ｗｉ−Ｆｉ照明器具１１に携帯端末装置１０の音楽データを無線ＬＡＮを介して送信し、Ｗｉ−Ｆｉ照明器具１１から音楽を流すようにしても良い。更に、Ｗｉ−Ｆｉ照明器具１１のマイクでユーザーの声を取得して記憶させ、他のユーザーが帰宅すると、Ｗｉ−Ｆｉ照明器具１１のスピーカーでユーザーの声を再生し、メッセージを残すようにしても良い。又、二台以上のＷｉ−Ｆｉ照明器具１１が存在する場合、Ｗｉ−Ｆｉ照明器具１１のマイク及びスピーカーを利用して、各部屋毎のユーザー同士がＷｉ−Ｆｉ照明器具１１を介して会話しても良い。
【００６１】
又、本発明に係る照明制御システム１では、一台の端末装置１０と一台のＷｉ−Ｆｉ照明器具１１で、インターネット１２又は無線ＬＡＮを介して、このＷｉ−Ｆｉ照明器具１１の点灯、このＷｉ−Ｆｉ照明器具１１が設けられた部屋の家電製品１３の操作を制御することが出来る。そのため、図１２に示すように、家の各部屋毎にＷｉ−Ｆｉ照明器具１１をそれぞれ設けることで、一台の端末装置１０で、家の部屋の全てのＷｉ−Ｆｉ照明器具１１の点灯と家電製品１３の操作を制御することが可能となり、一台の端末装置１０に家の全てのＷｉ−Ｆｉ照明器具１１及び家電製品１３の操作を集約することが可能となる。
【００６２】
又、本発明に係る照明制御システム１では、図１３に示すように、端末装置１０とＷｉ−Ｆｉ照明器具１１とのデータの送受信を制御するサーバー１４（例えば、クラウドサーバー）をインターネット１２上に設けて、端末装置１０とＷｉ−Ｆｉ照明器具１１との無線通信を円滑にしても良い。インターネット１２上のサーバー１４は、端末装置１０とＷｉ−Ｆｉ照明器具１１とを識別可能である。例えば、端末装置１０からの指示が、サーバー１４を介してＷｉ−Ｆｉ照明器具１１へ送信され、Ｗｉ−Ｆｉ照明器具１１の光源部２０４が点灯又は消灯しても良い。又、Ｗｉ−Ｆｉ照明器具１１で赤外線信号が変換された操作情報が、サーバー１４を介して端末装置１０に送信され、赤外線登録部３０５が、当該操作情報を操作キーに関連付けて登録しても良い。端末装置１０の家電操作発信部３０４が発信した操作情報が、サーバー１４を介してＷｉ−Ｆｉ照明器具１１に送信され、赤外線発信部２０７が、当該操作情報に対応する赤外線信号を発信しても良い。又、端末装置１０とＷｉ−Ｆｉ照明器具１１とのデータの送受信を履歴としてサーバー１４上に残すことも可能となるため、端末装置１０又はＷｉ−Ｆｉ照明器具１１に不具合が発生した場合に、不具合の原因を履歴から特定し易くなる。サーバー１４の構築には、公知の手法が採用される。例えば、サーバー１４から端末装置１０へデータを送信するｃｏｍｅｔを採用し、待ち行列でデータ格納するｍｑを用いて、遠隔手続呼出のＲＰＣプロバイダーで処理される。ＲＰＣプロバイダーでは、上述のデータのデータベースやルーティングテーブルを備える。一方、端末装置１０は、サーバー１４に命令を送信するｃｏｍｍａｎｄと、設定情報の保守、名前付け、分散同期化の提供を行うｚｏｏｋｅｅｐｅｒとを備える。
【００６３】
又、本発明の実施形態では、照明制御システム１が各部を備えるよう構成したが、当該各部を実現するプログラムを記憶媒体に記憶させ、当該記憶媒体を提供するよう構成しても構わない。当該構成では、前記プログラムを端末装置及びＷｉ−Ｆｉ照明器具に読み出させ、当該端末装置及びＷｉ−Ｆｉ照明器具が各部を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００６４】
以上のように、本発明に係る照明制御システム及び照明制御方法は、家庭用の照明はもちろん、業務用の照明等でも有用であり、端末装置及び無線ＬＡＮを利用して照明の点灯及び消灯を制御することが可能な照明制御システム及び照明制御方法として有効である。
【符号の説明】
【００６５】
１  照明制御システム
１０  携帯端末装置
１１  Ｗｉ−Ｆｉ照明器具
１２  インターネット
１３  家電製品
１４  サーバー
２０１  電力変換部
２０２  Ｗｉ−Ｆｉ通信部
２０３  信号変換部
２０４  光源部
２０５  赤外線受信部
２０６  赤外線変換部
２０７  赤外線発信部
２０８  カメラ部
３０１  無線許可部
３０２  無線通信部
３０３  指示発信部
３０４  家電操作発信部
３０５  赤外線登録部
３０６  撮影制御部
【図１】
2017212029.tif 000003
【図２】
2017212029.tif 000004
【図３】
2017212029.tif 000005
【図４】
2017212029.tif 000006
【図５】
2017212029.tif 000007
【図６】
2017212029.tif 000008
【図７】
2017212029.tif 000009
【図８】
2017212029.tif 000010
【図９】
2017212029.tif 000011
【図１０】
2017212029.tif 000012
【図１１】
2017212029.tif 000013
【図１２】
2017212029.tif 000014
【図１３】
2017212029.tif 000015
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
インターネットと接続可能な無線ＬＡＮと無線接続する無線通信部を備える端末装置と、Ｗｉ−Ｆｉ通信部を備えるＷｉ−Ｆｉ照明器具とを備える照明制御システムであって、
前記端末装置に設けられ、前記Ｗｉ−Ｆｉ照明器具が設置された部屋の無線ＬＡＮのアクセスポイントから前記無線ＬＡＮのＳＳＩＤを取得し、前記取得したＳＳＩＤを設定画面に表示して、前記無線ＬＡＮへの接続を許可するためのＰＷの入力を求め、ユーザーにより前記ＰＷが入力されると、前記ＳＳＩＤと前記ＰＷとを前記Ｗｉ−Ｆｉ照明器具のＷｉ−Ｆｉ通信部に登録させることで、前記無線ＬＡＮに対する当該Ｗｉ−Ｆｉ通信部の無線接続を許可する無線許可部と、
前記端末装置に設けられ、前記Ｗｉ−Ｆｉ照明器具の点灯又は消灯のキーが選択されると、前記無線ＬＡＮ又は前記インターネットを介して、前記端末装置の無線通信部から前記キーに対応する指示を前記Ｗｉ−Ｆｉ照明器具のＷｉ−Ｆｉ通信部に発信する指示発信部と、
前記Ｗｉ−Ｆｉ照明器具に設けられ、前記Ｗｉ−Ｆｉ照明器具のＷｉ−Ｆｉ通信部が受信した指示を制御信号に変換する信号変換部と、
前記Ｗｉ−Ｆｉ照明器具に設けられ、前記変換された制御信号に基づいて点灯又は消灯する光源部と、
を備えることを特徴とする照明制御システム。
【請求項２】
前記Ｗｉ−Ｆｉ照明器具に設けられ、前記部屋の家電製品の赤外線リモコンにおける操作ボタンが押下された場合に、前記端末装置の指示に基づいて、当該赤外線リモコンから発信される赤外線信号を受信する赤外線受信部と、
前記Ｗｉ−Ｆｉ照明器具に設けられ、前記受信された赤外線信号を、前記操作ボタンに対応する操作情報に変換して、前記無線ＬＡＮを介して、前記端末装置に送信する赤外線変換部と、
前記端末装置に設けられ、前記Ｗｉ−Ｆｉ照明器具から送信された操作情報を、前記端末装置に表示される家電製品操作画面の操作キーに関連付けて当該端末装置に登録する赤外線登録部と、
前記端末装置に設けられ、前記操作キーが選択されると、前記無線ＬＡＮを介して、前記操作キーに登録された操作情報を前記Ｗｉ−Ｆｉ照明器具に発信する家電操作発信部と、
前記Ｗｉ−Ｆｉ照明器具に設けられ、前記端末装置から発信された操作情報が前記Ｗｉ−Ｆｉ照明器具に受信されると、当該操作情報が変換された赤外線信号を発信する赤外線発信部と、
を更に備える
請求項１に記載の照明制御システム。
【請求項３】
前記Ｗｉ−Ｆｉ照明器具の周端部の一部から延出されて下方を撮影する構成、又は前記Ｗｉ−Ｆｉ照明器具の下面の中心部に光源部が設けられていない場合に当該中心部に設けられ、前記Ｗｉ−Ｆｉ照明器具の下面から部屋を撮影する構成であり、前記Ｗｉ−Ｆｉ通信部から撮影指示を受信すると、画像を撮影して、前記無線ＬＡＮを介して、当該撮影画像を前記端末装置の無線通信部に送信するカメラ部と、
前記端末装置に設けられ、撮影キーが選択されると、前記無線ＬＡＮを介して、前記撮影指示を前記Ｗｉ−Ｆｉ通信部に発信し、前記無線ＬＡＮを介して、前記撮影画像を受信すると、当該撮影画像を表示する撮影制御部と、
を更に備える
請求項１又は２に記載の照明制御システム。
【請求項４】
インターネットと接続可能な無線ＬＡＮと無線接続する無線通信部を備える端末装置と、Ｗｉ−Ｆｉ通信部を備えるＷｉ−Ｆｉ照明器具とを備える照明制御システムの照明制御方法であって、
前記端末装置に設けられ、前記Ｗｉ−Ｆｉ照明器具が設置された部屋の無線ＬＡＮのアクセスポイントから前記無線ＬＡＮのＳＳＩＤを取得し、前記取得したＳＳＩＤを設定画面に表示して、前記無線ＬＡＮへの接続を許可するためのＰＷの入力を求め、ユーザーにより前記ＰＷが入力されると、前記ＳＳＩＤと前記ＰＷとを前記Ｗｉ−Ｆｉ照明器具のＷｉ−Ｆｉ通信部に登録させることで、前記無線ＬＡＮに対する当該Ｗｉ−Ｆｉ通信部の無線接続を許可する無線許可ステップと、
前記端末装置に設けられ、前記Ｗｉ−Ｆｉ照明器具の点灯又は消灯のキーが選択されると、前記無線ＬＡＮ又は前記インターネットを介して、前記端末装置の無線通信部から前記キーに対応する指示を前記Ｗｉ−Ｆｉ照明器具のＷｉ−Ｆｉ通信部に発信する指示発信ステップと、
前記Ｗｉ−Ｆｉ照明器具に設けられ、前記Ｗｉ−Ｆｉ照明器具のＷｉ−Ｆｉ通信部が受信した指示を制御信号に変換する信号変換ステップと、
前記Ｗｉ−Ｆｉ照明器具に設けられ、前記変換された制御信号に基づいて点灯又は消灯する光源ステップと、
を備えることを特徴とする照明制御方法。
【手続補正２】
【補正対象書類名】明細書
【補正対象項目名】０００９
【補正方法】変更
【補正の内容】
【０００９】
本発明者は、鋭意研究を重ねた結果、本発明に係る新規な照明制御システム及び照明制御方法を完成させた。即ち、本発明に係る照明制御システムは、インターネットと接続可能な無線ＬＡＮと無線接続する無線通信部を備える端末装置と、Ｗｉ−Ｆｉ通信部を備えるＷｉ−Ｆｉ照明器具とを備える照明制御システムであって、無線許可部と、指示発信部と、信号変換部と、光源部と、を備える。無線許可部は、前記端末装置に設けられ、前記Ｗｉ−Ｆｉ照明器具が設置された部屋の無線ＬＡＮのアクセスポイントから前記無線ＬＡＮのＳＳＩＤを取得し、前記取得したＳＳＩＤを設定画面に表示して、前記無線ＬＡＮへの接続を許可するためのＰＷの入力を求め、ユーザーにより前記ＰＷが入力されると、前記ＳＳＩＤと前記ＰＷとを前記Ｗｉ−Ｆｉ照明器具のＷｉ−Ｆｉ通信部に登録させることで、前記無線ＬＡＮに対する当該Ｗｉ−Ｆｉ通信部の無線接続を許可する。指示発信部は、前記端末装置に設けられ、前記Ｗｉ−Ｆｉ照明器具の点灯又は消灯のキーが選択されると、前記無線ＬＡＮ又は前記インターネットを介して、前記端末装置の無線通信部から前記キーに対応する指示を前記Ｗｉ−Ｆｉ照明器具のＷｉ−Ｆｉ通信部に発信する。信号変換部は、前記Ｗｉ−Ｆｉ照明器具に設けられ、前記Ｗｉ−Ｆｉ照明器具のＷｉ−Ｆｉ通信部が受信した指示を制御信号に変換する。光源部は、前記Ｗｉ−Ｆｉ照明器具に設けられ、前記変換された制御信号に基づいて点灯又は消灯する。
【手続補正３】
【補正対象書類名】明細書
【補正対象項目名】００１０
【補正方法】変更
【補正の内容】
【００１０】
又、本発明に係る照明制御方法は、インターネットと接続可能な無線ＬＡＮと無線接続する無線通信部を備える端末装置と、Ｗｉ−Ｆｉ通信部を備えるＷｉ−Ｆｉ照明器具とを備える照明制御システムの照明制御方法であって、無線許可ステップと、指示発信ステップと、信号変換ステップと、光源ステップと、を備える。無線許可ステップは、前記端末装置に設けられ、前記Ｗｉ−Ｆｉ照明器具が設置された部屋の無線ＬＡＮのアクセスポイントから前記無線ＬＡＮのＳＳＩＤを取得し、前記取得したＳＳＩＤを設定画面に表示して、前記無線ＬＡＮへの接続を許可するためのＰＷの入力を求め、ユーザーにより前記ＰＷが入力されると、前記ＳＳＩＤと前記ＰＷとを前記Ｗｉ−Ｆｉ照明器具のＷｉ−Ｆｉ通信部に登録させることで、前記無線ＬＡＮに対する当該Ｗｉ−Ｆｉ通信部の無線接続を許可する。指示発信ステップは、前記端末装置に設けられ、前記Ｗｉ−Ｆｉ照明器具の点灯又は消灯のキーが選択されると、前記無線ＬＡＮ又は前記インターネットを介して、前記端末装置の無線通信部から前記キーに対応する指示を前記Ｗｉ−Ｆｉ照明器具のＷｉ−Ｆｉ通信部に発信する。信号変換ステップは、前記Ｗｉ−Ｆｉ照明器具に設けられ、前記Ｗｉ−Ｆｉ照明器具のＷｉ−Ｆｉ通信部が受信した指示を制御信号に変換する。光源ステップは、前記Ｗｉ−Ｆｉ照明器具に設けられ、前記変換された制御信号に基づいて点灯又は消灯する。
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
インターネットと接続可能な無線ＬＡＮと無線接続する無線通信部を備える端末装置と、無線ＬＡＮ通信部を備える無線ＬＡＮ照明器具とを備える照明制御システムであって、
前記端末装置に設けられ、前記無線ＬＡＮ照明器具が設置された部屋の無線ＬＡＮのアクセスポイントから前記無線ＬＡＮのＳＳＩＤを取得し、前記取得したＳＳＩＤを設定画面に表示して、前記無線ＬＡＮへの接続を許可するためのＰＷの入力を求め、ユーザーにより前記ＰＷが入力されると、前記ＳＳＩＤと前記ＰＷとを前記無線ＬＡＮ照明器具の無線ＬＡＮ通信部に登録させることで、前記無線ＬＡＮに対する当該無線ＬＡＮ通信部の無線ＬＡＮの設定を行う無線許可部と、
前記端末装置に設けられ、前記無線ＬＡＮ照明器具の点灯又は消灯のキーが選択されると、前記無線ＬＡＮ又は前記インターネットを介して、前記端末装置の無線通信部から前記キーに対応する指示を前記無線ＬＡＮ照明器具の無線ＬＡＮ通信部に発信する指示発信部と、
前記無線ＬＡＮ照明器具に設けられ、前記無線ＬＡＮ通信部が受信した指示を制御信号に変換する信号変換部と、
前記無線ＬＡＮ照明器具に設けられ、前記変換された制御信号に基づいて点灯又は消灯する光源部と、
前記無線ＬＡＮ照明器具に設けられ、前記部屋の家電製品の赤外線リモコンにおける操作ボタンが押下された場合に、前記端末装置の指示に基づいて、当該赤外線リモコンから発信される赤外線信号を受信する赤外線受信部と、
前記無線ＬＡＮ照明器具に設けられ、前記受信された赤外線信号を、前記操作ボタンに対応する操作情報に変換して、前記無線ＬＡＮを介して、前記端末装置に送信する赤外線変換部と、
前記端末装置に設けられ、前記無線ＬＡＮ照明器具から送信された操作情報を、前記端末装置に表示される家電製品操作画面の操作キーに関連付けて当該端末装置に登録する赤外線登録部と、
前記端末装置に設けられ、前記操作キーが選択されると、前記無線ＬＡＮを介して、前記操作キーに登録された操作情報を前記無線ＬＡＮ照明器具に発信する家電操作発信部と、
前記無線ＬＡＮ照明器具に設けられ、前記端末装置から発信された操作情報が前記無線ＬＡＮ照明器具に受信されると、当該操作情報が変換された赤外線信号を発信する赤外線発信部と、
を備えることを特徴とする照明制御システム。
【請求項２】
前記指示発信部が、ユーザーから、特定の点灯時間と、特定のシーンと、特定の消灯時間との入力を受け付けると、入力された点灯時間と所定のタイマーの現在時間とを比較し、現在時間が前記点灯時間になった場合、前記指示発信部が、入力されたシーンに設定された調光及び調色のパラメーターを含む点灯指示を発信し、
前記光源部は、前記点灯指示が変換された点灯制御信号に基づいて点灯し、
前記指示発信部が、入力された消灯時間と前記タイマーの現在時間とを比較し、現在時間が前記消灯時間になった場合、前記指示発信部が、消灯指示を発信し、
前記光源部は、前記消灯指示が変換された消灯制御信号に基づいて消灯する
請求項１に記載の照明制御システム。
【請求項３】
前記指示発信部は、前記端末装置に予め設けられた所定のＧＰＳ取得部から端末装置の現在のＧＰＳ位置情報を判定位置情報として取得し、所定のチェックの入力を受けて、前記ＧＰＳ取得部から定期的にＧＰＳ位置情報を取得し、前記取得したＧＰＳ位置情報が、前記判定位置情報を中心として所定の距離だけ離れた範囲である判定範囲内に含まれるか否かを判定し、
前記ＧＰＳ位置情報が前記判定範囲外になると、前記指示発信部は、消灯指示を発信し、前記光源部は、前記消灯指示が変換された消灯制御信号により消灯し、
前記ＧＰＳ位置情報が前記判定範囲内になると、前記指示発信部は、点灯指示を発信し、前記光源部は、前記点灯指示が変換された点灯制御信号により点灯する
請求項１又は２に記載の照明制御システム。
【請求項４】
前記無線ＬＡＮ通信部から撮影指示を受信すると、画像を撮影して、前記無線ＬＡＮを介して、当該撮影画像を前記端末装置の無線通信部に送信し、前記画像を撮影する撮影部を回動可能な構成であるカメラ部と、
前記端末装置に設けられ、撮影キーが選択されると、前記無線ＬＡＮを介して、前記撮影指示を前記無線ＬＡＮ通信部に発信し、前記無線ＬＡＮを介して、前記撮影画像を受信すると、当該撮影画像を表示する撮影制御部と、
を更に備え、
前記撮影制御部は、所定の回転角度キーが選択され、特定の撮影角度が入力されると、当該撮影角度を含む撮影指示を前記カメラ部に発信し、
前記カメラ部は、前記撮影角度に対応して前記撮影部を回動させた後に画像を撮影する
請求項１〜３のいずれか一項に記載の照明制御システム。
【請求項５】
前記無線ＬＡＮ通信部から撮影指示を受信すると、画像を撮影して、前記無線ＬＡＮを介して、当該撮影画像を前記端末装置の無線通信部に送信するカメラ部と、
前記端末装置に設けられ、撮影キーが選択されると、前記無線ＬＡＮを介して、前記撮影指示を前記無線ＬＡＮ通信部に発信し、前記無線ＬＡＮを介して、前記撮影画像を受信すると、当該撮影画像を表示する撮影制御部と、
を更に備え、
前記カメラ部に人感センサーに対応する赤外線検知部を設け、前記カメラ部の撮影領域と前記赤外線検知部の検知領域とを重ね合せ、
前記赤外線検知部が、赤外線を発する検知物体が前記検知領域に侵入したことを検知すると、前記カメラ部が、前記検知物体を含む撮影領域の画像を撮影し、前記無線ＬＡＮ通信部を介して、前記端末装置に発信し、前記画像を表示させる
請求項１〜３のいずれか一項に記載の照明制御システム。
【請求項６】
インターネットと接続可能な無線ＬＡＮと無線接続する無線通信部を備える端末装置と、無線ＬＡＮ通信部を備える無線ＬＡＮ照明器具とを備える照明制御システムの照明制御方法であって、
前記端末装置に設けられ、前記無線ＬＡＮ照明器具が設置された部屋の無線ＬＡＮのアクセスポイントから前記無線ＬＡＮのＳＳＩＤを取得し、前記取得したＳＳＩＤを設定画面に表示して、前記無線ＬＡＮへの接続を許可するためのＰＷの入力を求め、ユーザーにより前記ＰＷが入力されると、前記ＳＳＩＤと前記ＰＷとを前記無線ＬＡＮ照明器具の無線ＬＡＮ通信部に登録させることで、前記無線ＬＡＮに対する当該無線ＬＡＮ通信部の無線ＬＡＮの設定を行う無線許可ステップと、
前記端末装置に設けられ、前記無線ＬＡＮ照明器具の点灯又は消灯のキーが選択されると、前記無線ＬＡＮ又は前記インターネットを介して、前記端末装置の無線通信部から前記キーに対応する指示を前記無線ＬＡＮ照明器具の無線ＬＡＮ通信部に発信する指示発信ステップと、
前記無線ＬＡＮ照明器具に設けられ、前記無線ＬＡＮ通信部が受信した指示を制御信号に変換する信号変換ステップと、
前記無線ＬＡＮ照明器具に設けられ、前記変換された制御信号に基づいて点灯又は消灯する光源ステップと、
前記無線ＬＡＮ照明器具に設けられ、前記部屋の家電製品の赤外線リモコンにおける操作ボタンが押下された場合に、前記端末装置の指示に基づいて、当該赤外線リモコンから発信される赤外線信号を受信する赤外線受信ステップと、
前記無線ＬＡＮ照明器具に設けられ、前記受信された赤外線信号を、前記操作ボタンに対応する操作情報に変換して、前記無線ＬＡＮを介して、前記端末装置に送信する赤外線変換ステップと、
前記端末装置に設けられ、前記無線ＬＡＮ照明器具から送信された操作情報を、前記端末装置に表示される家電製品操作画面の操作キーに関連付けて当該端末装置に登録する赤外線登録ステップと、
前記端末装置に設けられ、前記操作キーが選択されると、前記無線ＬＡＮを介して、前記操作キーに登録された操作情報を前記無線ＬＡＮ照明器具に発信する家電操作発信ステップと、
前記無線ＬＡＮ照明器具に設けられ、前記端末装置から発信された操作情報が前記無線ＬＡＮ照明器具に受信されると、当該操作情報が変換された赤外線信号を発信する赤外線発信ステップと、
を備えることを特徴とする照明制御方法。
【手続補正２】
【補正対象書類名】明細書
【補正対象項目名】０００３
【補正方法】変更
【補正の内容】
【０００３】
又、特表２０１４−５０７９０３号公報（特許文献３）には、コントローラと電力制御ユニットの間のピアツーピア・ワイヤレス通信リンクを使用して、電気装置への電気の供給を変化させるための、電力制御ユニットおよび電力制御ユニットを使用する方法が開示されている。通信リンクは、Ｗｉ−Ｆｉ（登録商標）ダイレクトまたはＢｌｕｅｔｏｏｔｈ（登録商標）通信技術を使用して確立するとしている。
【手続補正３】
【補正対象書類名】明細書
【補正対象項目名】０００９
【補正方法】変更
【補正の内容】
【０００９】
本発明者は、鋭意研究を重ねた結果、本発明に係る新規な照明制御システム及び照明制御方法を完成させた。即ち、本発明に係る照明制御システムは、インターネットと接続可能な無線ＬＡＮと無線接続する無線通信部を備える端末装置と、無線ＬＡＮ通信部を備える無線ＬＡＮ照明器具とを備える照明制御システムであって、無線許可部と、指示発信部と、信号変換部と、光源部と、赤外線受信部と、赤外線変換部と、赤外線登録部と、家電操作発信部と、赤外線発信部と、を備える。無線許可部は、前記端末装置に設けられ、前記無線ＬＡＮ照明器具が設置された部屋の無線ＬＡＮのアクセスポイントから前記無線ＬＡＮのＳＳＩＤを取得し、前記取得したＳＳＩＤを設定画面に表示して、前記無線ＬＡＮへの接続を許可するためのＰＷの入力を求め、ユーザーにより前記ＰＷが入力されると、前記ＳＳＩＤと前記ＰＷとを前記無線ＬＡＮ照明器具の無線ＬＡＮ通信部に登録させることで、前記無線ＬＡＮに対する当該無線ＬＡＮ通信部の無線ＬＡＮの設定を行う。指示発信部は、前記端末装置に設けられ、前記無線ＬＡＮ照明器具の点灯又は消灯のキーが選択されると、前記無線ＬＡＮ又は前記インターネットを介して、前記端末装置の無線通信部から前記キーに対応する指示を前記無線ＬＡＮ照明器具の無線ＬＡＮ通信部に発信する。信号変換部は、前記無線ＬＡＮ照明器具に設けられ、前記無線ＬＡＮ通信部が受信した指示を制御信号に変換する。光源部は、前記無線ＬＡＮ照明器具に設けられ、前記変換された制御信号に基づいて点灯又は消灯する。赤外線受信部は、前記無線ＬＡＮ照明器具に設けられ、前記部屋の家電製品の赤外線リモコンにおける操作ボタンが押下された場合に、前記端末装置の指示に基づいて、当該赤外線リモコンから発信される赤外線信号を受信する。赤外線変換部は、前記無線ＬＡＮ照明器具に設けられ、前記受信された赤外線信号を、前記操作ボタンに対応する操作情報に変換して、前記無線ＬＡＮを介して、前記端末装置に送信する。赤外線登録部は、前記端末装置に設けられ、前記無線ＬＡＮ照明器具から送信された操作情報を、前記端末装置に表示される家電製品操作画面の操作キーに関連付けて当該端末装置に登録する。家電操作発信部は、前記端末装置に設けられ、前記操作キーが選択されると、前記無線ＬＡＮを介して、前記操作キーに登録された操作情報を前記無線ＬＡＮ照明器具に発信する。赤外線発信部は、前記無線ＬＡＮ照明器具に設けられ、前記端末装置から発信された操作情報が前記無線ＬＡＮ照明器具に受信されると、当該操作情報が変換された赤外線信号を発信する。
【手続補正４】
【補正対象書類名】明細書
【補正対象項目名】００１０
【補正方法】変更
【補正の内容】
【００１０】
又、本発明に係る照明制御方法は、インターネットと接続可能な無線ＬＡＮと無線接続する無線通信部を備える端末装置と、無線ＬＡＮ通信部を備える無線ＬＡＮ照明器具とを備える照明制御システムの照明制御方法であって、無線許可ステップと、指示発信ステップと、信号変換ステップと、光源ステップと、赤外線受信ステップと、赤外線変換ステップと、赤外線登録ステップと、家電操作発信ステップと、赤外線発信ステップと、を備える。無線許可ステップは、前記端末装置に設けられ、前記無線ＬＡＮ照明器具が設置された部屋の無線ＬＡＮのアクセスポイントから前記無線ＬＡＮのＳＳＩＤを取得し、前記取得したＳＳＩＤを設定画面に表示して、前記無線ＬＡＮへの接続を許可するためのＰＷの入力を求め、ユーザーにより前記ＰＷが入力されると、前記ＳＳＩＤと前記ＰＷとを前記無線ＬＡＮ照明器具の無線ＬＡＮ通信部に登録させることで、前記無線ＬＡＮに対する当該無線ＬＡＮ通信部の無線ＬＡＮの設定を行う。指示発信ステップは、前記端末装置に設けられ、前記無線ＬＡＮ照明器具の点灯又は消灯のキーが選択されると、前記無線ＬＡＮ又は前記インターネットを介して、前記端末装置の無線通信部から前記キーに対応する指示を前記無線ＬＡＮ照明器具の無線ＬＡＮ通信部に発信する。信号変換ステップは、前記無線ＬＡＮ照明器具に設けられ、前記無線ＬＡＮ通信部が受信した指示を制御信号に変換する。光源ステップは、前記無線ＬＡＮ照明器具に設けられ、前記変換された制御信号に基づいて点灯又は消灯する。赤外線受信ステップは、前記無線ＬＡＮ照明器具に設けられ、前記部屋の家電製品の赤外線リモコンにおける操作ボタンが押下された場合に、前記端末装置の指示に基づいて、当該赤外線リモコンから発信される赤外線信号を受信する。赤外線変換ステップは、前記無線ＬＡＮ照明器具に設けられ、前記受信された赤外線信号を、前記操作ボタンに対応する操作情報に変換して、前記無線ＬＡＮを介して、前記端末装置に送信する。赤外線登録ステップは、前記端末装置に設けられ、前記無線ＬＡＮ照明器具から送信された操作情報を、前記端末装置に表示される家電製品操作画面の操作キーに関連付けて当該端末装置に登録する。家電操作発信ステップは、前記端末装置に設けられ、前記操作キーが選択されると、前記無線ＬＡＮを介して、前記操作キーに登録された操作情報を前記無線ＬＡＮ照明器具に発信する。赤外線発信ステップは、前記無線ＬＡＮ照明器具に設けられ、前記端末装置から発信された操作情報が前記無線ＬＡＮ照明器具に受信されると、当該操作情報が変換された赤外線信号を発信する。
【手続補正５】
【補正対象書類名】明細書
【補正対象項目名】００１２
【補正方法】変更
【補正の内容】
【００１２】
【図１】本発明に係る照明制御システムの概略図である。
【図２】本発明に係る照明制御システムの機能ブロック図である。
【図３】本発明に係る照明制御システムの点灯及び消灯の実行手順を示すフローチャートである。
【図４】無線ＬＡＮの接続設定を示す概略図（図４Ａ）と、無線ＬＡＮ及びインターネットでの点灯制御を示す概略図（図４Ｂ）と、である。
【図５】無線ＬＡＮでの調光及び調色の制御を示す概略図（図５Ａ）と、無線ＬＡＮでの点灯及び消灯のスケジュール管理を示す概略図（図５Ｂ）と、である。
【図６】無線ＬＡＮでの点灯及び消灯のイベント制御を示す概略図（図６Ａ）と、無線ＬＡＮでの点灯及び消灯の位置制御を示す概略図（図６Ｂ）と、である。
【図７】本発明に係る照明制御システムの家電操作の実行手順を示すフローチャートである。
【図８】家電製品選択画面及び家電製品操作画面を示す概略図（図８Ａ）と、赤外線信号の操作情報の登録を示す概略図（図８Ｂ）と、である。
【図９】無線ＬＡＮでの家電操作を示す概略図（図９Ａ）と、無線ＬＡＮ及びインターネットでの家電操作を示す概略図（図９Ｂ）と、である。
【図１０】複数のカメラ部の構成を示す概略図（図１０Ａ）と、無線ＬＡＮ及びインターネットでの画像撮影を示す概略図（図１０Ｂ）と、である。
【図１１】カメラ部の撮影角度の変更と無線ＬＡＮ及びインターネットでの画像撮影を示す概略図（図１１Ａ）と、赤外線検知部を備えた場合の無線ＬＡＮ及びインターネットでの画像撮影を示す概略図（図１１Ｂ）と、である。
【図１２】携帯端末装置と、複数の無線ＬＡＮ照明器具とで構成された本発明に係る照明制御システムを示す概略図である。
【図１３】本発明に係る照明制御システムにおいてサーバーを備えた場合の概略図である。
【手続補正６】
【補正対象書類名】明細書
【補正対象項目名】００１４
【補正方法】変更
【補正の内容】
【００１４】
本発明に係る照明制御システム１は、図１に示すように、無線通信可能な端末装置１０と、無線ＬＡＮ通信部１１ａを備える無線ＬＡＮ照明器具１１とから基本的に構成されている。
【手続補正７】
【補正対象書類名】明細書
【補正対象項目名】００１６
【補正方法】変更
【補正の内容】
【００１６】
端末装置１０の無線通信部は、無線ＬＡＮ用のアクセスポイント（親機）及びルーターを介してインターネット１２と無線通信したり、３Ｇ、４Ｇ、４Ｇ  ＬＴＥ等の基地局（携帯電話通信網）を介してインターネット１２と無線通信したりすることが出来る。又、無線ＬＡＮ照明器具１１が設置される部屋には、例えば、無線ＬＡＮ用のアクセスポイント１２ａと、ルーター１２ｂとが予め設けられており、端末装置１０の無線通信部は、電波でアクセスポイント１２ａと通信し、ルーター１２ｂを介してインターネット１２に接続することが出来る。
【手続補正８】
【補正対象書類名】明細書
【補正対象項目名】００１７
【補正方法】変更
【補正の内容】
【００１７】
無線ＬＡＮ照明器具１１は、一般的な構成である光源部を備えているが、更に、無線ＬＡＮ通信部１１ａと、無線ＬＡＮ通信部１１ａが受信した指示（電波を含む）を光源部用の点灯制御信号に変換する信号変換部１１ｂとを備えている。
【手続補正９】
【補正対象書類名】明細書
【補正対象項目名】００１８
【補正方法】変更
【補正の内容】
【００１８】
又、無線ＬＡＮ照明器具１１が設置される部屋には、例えば、ＴＶ、エアコン、ゲーム、音響装置、空気清浄機、掃除機等の家電製品１３が設けられており、家電製品１３は、赤外線信号を受信する赤外線受信部１３ａを備え、赤外線リモコン１３ｂの赤外線発信部１３ｃにより赤外線信号が送信されると、家電製品１３の赤外線受信部１３ａは、当該赤外線信号を受信し、家電製品１３は、赤外線信号の操作情報に基づいて駆動する。家電製品１３は、操作情報の種類に応じた駆動を実現する。これに対応して、無線ＬＡＮ照明器具１１には、更に、赤外線受信部１１ｃと、赤外線発信部１１ｄと、赤外線信号を無線ＬＡＮ通信部１１ａ用の操作情報に変換する赤外線変換部１１ｅとが設けられる場合がある。又、無線ＬＡＮ照明器具１１には、カメラ部１１ｆが設けられる場合がある。
【手続補正１０】
【補正対象書類名】明細書
【補正対象項目名】００１９
【補正方法】変更
【補正の内容】
【００１９】
尚、端末装置１０、無線ＬＡＮ照明器具１１は、図示しないＣＰＵ、ＲＯＭ、ＲＡＭ、等を内蔵しており、ＣＰＵは、例えば、ＲＡＭを作業領域として利用し、ＲＯＭ等に記憶されているプログラムを実行する。又、後述する各部についても、ＣＰＵがプログラムを実行することで当該各部を実現する。
【手続補正１１】
【補正対象書類名】明細書
【補正対象項目名】００２０
【補正方法】変更
【補正の内容】
【００２０】
次に、図２、図３を参照しながら、本発明の実施形態に係る構成及び実行手順について説明する。先ず、ユーザーが照明制御システム１を構築する場合、無線ＬＡＮ照明器具１１を購入し、無線ＬＡＮ照明器具１１の電力変換部２０１を部屋の天井の交流電源部２０に電気的に接続して、無線ＬＡＮ照明器具１１を天井に設置する（図３：Ｓ１０１）。これにより、無線ＬＡＮ照明器具１１に電力が供給される。
【手続補正１２】
【補正対象書類名】明細書
【補正対象項目名】００２１
【補正方法】変更
【補正の内容】
【００２１】
次に、ユーザーが、照明制御システム１のためのアプリケーションを端末装置１０（例えば、携帯端末装置）にダウンロードする（図３：Ｓ１０２）。アプリケーションは、ユーザーが携帯端末装置１０を、部屋に設置されたアクセスポイント１２ａの無線ＬＡＮ（ネットワーク）に無線接続し、無線ＬＡＮを介して接続されるインターネット１２上の特定のＷｅｂサイトからダウンロードするか、無線ＬＡＮ照明器具１１に同封された記録媒体のＱＲコード（登録商標）をスキャンして、インターネット１２上の特定のＷｅｂサイトを閲覧し、ダウンロードするかよって得られる。
【手続補正１３】
【補正対象書類名】明細書
【補正対象項目名】００２２
【補正方法】変更
【補正の内容】
【００２２】
そして、ユーザーが、ダウンロードしたアプリケーションを起動すると（図３：Ｓ１０３）、アプリケーションの無線許可部３０１が、本携帯端末装置１０が無線接続可能な無線ＬＡＮに対する無線ＬＡＮ照明器具１１の無線ＬＡＮ通信部２０２の無線接続を許可する。
【手続補正１４】
【補正対象書類名】明細書
【補正対象項目名】００２４
【補正方法】変更
【補正の内容】
【００２４】
ユーザーは、設定画面４００を見ながら、ＰＷを入力し、設定キー４０１を選択すると、無線許可部３０１は、無線通信部３０２を介して無線ＬＡＮ照明器具１１の無線ＬＡＮ通信部２０２と無線通信し、無線ＬＡＮ通信部２０２にＳＳＩＤとＰＷとを登録させることで、無線ＬＡＮの設定を行う（無線接続を許可する）（図３：Ｓ１０４）。これにより、無線ＬＡＮ照明器具１１を天井に装着した後であっても、携帯端末装置１０を用いて無線ＬＡＮ照明器具１１の無線ＬＡＮの接続設定を簡単に行うことが可能となる。特に、無線ＬＡＮ照明器具１１は、通常、先に、天井に装着されて、電力供給されるため、その後に、無線ＬＡＮ照明器具１１の無線ＬＡＮの接続設定を行う必要がある。その際に、ユーザーが、脚立等に登って、無線ＬＡＮ照明器具１１を直接操作して、無線ＬＡＮの接続設定を行うことは、極めて手間となる。本発明では、ユーザーは、床面で、携帯端末装置１０の操作により無線ＬＡＮ照明器具１１の無線ＬＡＮの接続設定を簡単に行うことが出来るため、ユーザーが無線ＬＡＮ照明器具１１を直接操作する必要性が無く、無線ＬＡＮ照明器具１１の装着後に、再度、脚立等に登る必要性が無くなり、ユーザーの利便性を向上させる。
【手続補正１５】
【補正対象書類名】明細書
【補正対象項目名】００２５
【補正方法】変更
【補正の内容】
【００２５】
無線ＬＡＮの設定の後、無線ＬＡＮ照明器具１１の無線ＬＡＮ通信部２０２は、ＳＳＩＤ及びＰＷを用いて、電波でアクセスポイント１２ａと通信し、無線ＬＡＮに接続したり、無線ＬＡＮを介してルーター１２ｂから外部のインターネット１２に接続したりすることが出来る（図３：Ｓ１０５）。これにより、照明制御システム１が構築される。
【手続補正１６】
【補正対象書類名】明細書
【補正対象項目名】００２６
【補正方法】変更
【補正の内容】
【００２６】
次に、ユーザーが、携帯端末装置１０のアプリケーションを用いて無線ＬＡＮ照明器具１１の点灯を制御する場合は、下記のようになる。即ち、ユーザーが、無線ＬＡＮ照明器具１１が設置された部屋へ入り、携帯端末装置１０のアプリケーションを起動させて（図３：Ｓ２０１）、点灯制御操作に遷移させると、アプリケーションの指示発信部３０３が、図４Ｂに示すように、携帯端末装置１０の表示部に点灯制御画面４０２を表示して、点灯指示の入力を受け付ける。
【手続補正１７】
【補正対象書類名】明細書
【補正対象項目名】００２７
【補正方法】変更
【補正の内容】
【００２７】
ユーザーは、点灯制御画面４０２を見ながら、例えば、点灯キー４０３を選択すると、指示発信部３０３が、無線通信部３０２から、前記点灯キーに対応する点灯指示の電波を発信し、無線ＬＡＮを介して、無線ＬＡＮ照明器具１１の無線ＬＡＮ通信部２０２に点灯指示を発信する（図３：Ｓ２０２）。
【手続補正１８】
【補正対象書類名】明細書
【補正対象項目名】００２８
【補正方法】変更
【補正の内容】
【００２８】
無線ＬＡＮ照明器具１１の無線ＬＡＮ通信部２０２が前記点灯指示を受信すると、無線ＬＡＮ照明器具１１の信号変換部２０３が、無線ＬＡＮ通信部２０２からの点灯指示を点灯制御信号に変換する（図３：Ｓ２０３）。
【手続補正１９】
【補正対象書類名】明細書
【補正対象項目名】００２９
【補正方法】変更
【補正の内容】
【００２９】
ここで、例えば、信号変換部２０３は、無線ＬＡＮ照明器具１１の光源部２０４の点灯及び消灯を制御するドライバ部（コントローラ部）に対応し、無線ＬＡＮでの指示（電波）を、光源部２０４の制御のための信号に変換する。尚、ドライバ部は、無線ＬＡＮ照明器具１１に内蔵しても、外部で取り付け可能に構成されても良い。
【手続補正２０】
【補正対象書類名】明細書
【補正対象項目名】００３０
【補正方法】変更
【補正の内容】
【００３０】
信号変換部２０３は、変換後の点灯制御信号を光源部２０４に送信し、光源部２０４は、前記点灯制御信号に基づいて点灯する（図３：Ｓ２０４）。これにより、携帯端末装置１０で無線ＬＡＮにより無線ＬＡＮ照明器具１１を点灯させることが可能となる。特に、携帯端末装置１０で無線ＬＡＮ照明器具１１を制御出来ることから、無線ＬＡＮ照明器具１１の専用のリモコンが不要になる。
【手続補正２１】
【補正対象書類名】明細書
【補正対象項目名】００３１
【補正方法】変更
【補正の内容】
【００３１】
一方、無線ＬＡＮ照明器具１１が点灯状態である場合、ユーザーが、点灯制御画面４０２の消灯キー４０４を選択すると、指示発信部３０３が、無線ＬＡＮを介して、無線ＬＡＮ照明器具１１に消灯指示を送信し（図３：Ｓ２０２）、信号変換部２０３は、前記消灯指示を消灯制御信号に変換する（図３：Ｓ２０３）。そして、光源部２０４は、前記消灯制御信号に基づいて消灯する（図３：Ｓ２０４）。これにより、携帯端末装置１０で無線ＬＡＮにより無線ＬＡＮ照明器具１１を消灯させることが可能となる。このように、無線ＬＡＮが接続可能な範囲において携帯端末装置１０で無線ＬＡＮ照明器具１１の点灯制御が可能となるため、従来のリモコン操作と比較して、無線ＬＡＮ照明器具１１が設置された部屋に居る必要性が無く、ユーザーが無線ＬＡＮと接続可能な範囲に居れば、携帯端末装置１０で無線ＬＡＮ照明器具１１を点灯制御出来る。例えば、ユーザーが、外出時に、玄関で無線ＬＡＮ照明器具１１を消灯したり、帰宅時に、玄関で無線ＬＡＮ照明器具１１を点灯したりすることが出来る。このように、無線ＬＡＮ照明器具１１の制御を携帯端末装置１０で無線ＬＡＮを介して簡単に行うことが出来ることから、ユーザーの利便性を向上させる。
【手続補正２２】
【補正対象書類名】明細書
【補正対象項目名】００３２
【補正方法】変更
【補正の内容】
【００３２】
又、上述した無線ＬＡＮ照明器具１１の点灯及び消灯は、インターネット１２に接続される無線ＬＡＮを介して行っていることから、無線ＬＡＮ照明器具１１の部屋におらず外部にいるユーザーが、携帯端末装置１０でインターネット１２から無線ＬＡＮへ点灯指示又は消灯指示を発信することが出来る。
【手続補正２３】
【補正対象書類名】明細書
【補正対象項目名】００３３
【補正方法】変更
【補正の内容】
【００３３】
例えば、図４Ｂに示すように、ユーザーが外出している場合、ユーザーが点灯制御画面４０２の所定のキーを選択すると、指示発信部３０３が、無線通信部２０２を用いて、基地局を介してインターネット１２に接続し、無線ＬＡＮ（アクセスポイント１２ａ及びルーター１２ｂ）を介して無線ＬＡＮ照明器具１１の無線ＬＡＮ通信部２０２に点灯指示又は消灯指示を発信することが可能であり、外部でも無線ＬＡＮ照明器具１１の点灯又は消灯を制御することが出来る。この際、インターネット１２内にサーバーを設けて、サーバーが、携帯端末装置１０から無線ＬＡＮ照明器具１１への点灯指示又は消灯指示の送信を制御しても良い。
【手続補正２４】
【補正対象書類名】明細書
【補正対象項目名】００３４
【補正方法】変更
【補正の内容】
【００３４】
又、無線ＬＡＮ照明器具１１の光源部２０４が、例えば、照明のパラメーターである調光（Ｂｒｉｇｈｔｎｅｓｓ）及び調色（Ｃｏｌｏｒ  Ｔｅｎｍｅｒａｔｕｒｅ）を調整することが出来る場合、携帯端末装置１０を介して様々な調光及び調色で光源部２０４を点灯させることが出来る。例えば、アプリケーションがシーン点灯操作に遷移すると、図５Ａに示すように、シーン点灯画面５００には、各シーン（例えば、全灯、テレビ、常夜灯、夕食、睡眠モード、読書等）毎に調光及び調色がそれぞれ設定されたシーン点灯キー５０１が表示され、更に、調光を調整可能な調光調整キー５０２と、調色を調整可能な調色調整キー５０３とが表示される。ユーザーは、例えば、「テレビ」に対応するシーン点灯キー５０１ａを選択すると、指示発信部３０３が、ユーザーが「テレビ」を視聴する場合に最適と考えられる調光及び調色を含む点灯指示を無線ＬＡＮ照明器具１１に発信する。すると、信号変換部２０３は、無線ＬＡＮ通信部２０２からの前記点灯指示を、調光及び調色のパラメーターを含む点灯制御信号に変換し、光源部２０４は、当該点灯制御信号により、前記調光及び調色を反映させて点灯する。又、ユーザーが、調光調整キー５０２又は調色調整キー５０３を調整すれば、そのパラメーターが無線ＬＡＮ照明器具１１へ送られ、光源部２０４の調光又は調色が調整される。これにより、携帯端末装置１０を介して無線ＬＡＮ照明器具１１の点灯を木目細かく制御することが可能となる。
【手続補正２５】
【補正対象書類名】明細書
【補正対象項目名】００３５
【補正方法】変更
【補正の内容】
【００３５】
又、無線ＬＡＮ照明器具１１の点灯及び消灯のスケジュール管理することが可能である。例えば、アプリケーションが管理点灯操作に遷移すると、図５Ｂに示すように、管理点灯画面５０４には、点灯時間を入力する点灯時間欄５０５と、点灯のシーンを設定する点灯状態欄５０６と、消灯時間を入力する消灯時間欄５０７とが表示される。ユーザーは、例えば、点灯時間欄５０５に特定の時間「９：００」を入力し、点灯状態欄５０６に特定のシーン「全灯」を入力する。すると、指示発信部３０３が、入力された点灯時間と、携帯端末装置１０に予め設けられた所定のタイマーの現在時間とを比較し、現在時間が点灯時間になった場合に、指示発信部３０３は、「全灯」を含む点灯指示を発信し、光源部２０４は、変換後の「全灯」を含む点灯制御信号に基づいて全灯で点灯する。又、ユーザーが、消灯時間欄５０７に特定の時間「９：０５」を入力すると、現在時間が消灯時間になった場合に、指示発信部３０３は、消灯指示を発信し、光源部２０４は、変換後の消灯制御信号に基づいて消灯する。このように、ユーザーは、点灯時間及び消灯時間を制御することが可能となる。又、管理点灯画面５０４には、日付を入力する日付欄５０８と、一週間のうち、特定の曜日を入力する曜日欄５０９とが設けられ、ユーザーが、点灯又は消灯する日付や曜日を指定して、生活リズムに合わせて、無線ＬＡＮ照明器具１１の点灯及び消灯を制御することが出来る。
【手続補正２６】
【補正対象書類名】明細書
【補正対象項目名】００３６
【補正方法】変更
【補正の内容】
【００３６】
又、無線ＬＡＮ照明器具１１の点灯及び消灯をイベントに合わせて制御することが可能である。例えば、アプリケーションがイベント点灯操作に遷移すると、図６Ａに示すように、イベント点灯画面６００には、イベント（例えば、起床通知、サッカー観戦、トレーニング、デート等）を入力するイベント欄６０１と、イベントが発生する日付及び時間を入力する日付及び時間欄６０２と、点灯状態（例えば、白色点滅、全灯等）に対応する通知方法を入力する通知方法欄６０３とが表示される。ユーザーは、例えば、イベント欄６０１に特定のイベント「起床通知」を入力し、日付及び時間欄６０２に特定の日付及び時間「２０１５／１２／２１  ０９：００」を入力し、通知方法欄６０３に特定の通知方法「白色点滅」を入力する。すると、指示発信部３０３が、入力された「２０１５／１２／２１  ０９：００」と現在の日付及び時間とを比較し、現在の日付及び時間が「２０１５／１２／２１  ０９：００」になった場合に、指示発信部３０３は、「白色点滅」を含む点灯指示を発信し、光源部２０４は、変換後の「白色点滅」の点灯制御信号により、白色点滅する。これにより、ユーザーが日時を指定して、無線ＬＡＮ照明器具１１の点灯を通知手段として利用することが出来る。
【手続補正２７】
【補正対象書類名】明細書
【補正対象項目名】００３７
【補正方法】変更
【補正の内容】
【００３７】
又、携帯端末装置１０のＧＰＳ位置情報に基づいて無線ＬＡＮ照明器具１１の点灯及び消灯を制御することが出来る。例えば、アプリケーションが位置点灯操作に遷移すると、図６Ｂに示すように、位置点灯画面６０４には、ユーザーの携帯端末装置１０のＧＰＳ位置情報を示す地図６０５と、地図に示されたＧＰＳ位置に帰って来た時に点灯することを指示する点灯チェックボックス６０６と、点灯について日中は不要であることを指示する不要チェックボックス６０７と、前記ＧＰＳ位置から離れた時に消灯することを指示する消灯チェックボックス６０８とが表示される。位置点灯画面６０４が表示されると、携帯端末装置１０の指示発信部３０３は、携帯端末装置１０に予め設けられた所定のＧＰＳ取得部から携帯端末装置１０の現在のＧＰＳ位置情報（例えば、「ＸＹ」）を取得し、位置点灯画面６０４の地図６０５にＧＰＳ位置を表示させる。ここで、ユーザーが、点灯チェックボックス６０６及び消灯チェックボックス６０８にチェックを入力した場合、指示発信部３０３は、前記ＧＰＳ位置情報「ＸＹ」を判定位置情報として所定のメモリーに記憶させ、ＧＰＳ取得部から定期的にＧＰＳ位置情報を取得し、取得したＧＰＳ位置情報が、判定位置情報「ＸＹ」を中心として所定の距離（例えば、１００ｍ、５００ｍ等）だけ離れた範囲（領域）である判定範囲内に含まれるか否かを判定する。
【手続補正２８】
【補正対象書類名】明細書
【補正対象項目名】００３８
【補正方法】変更
【補正の内容】
【００３８】
ここで、ユーザーが、例えば、携帯端末装置１０を所持して、無線ＬＡＮ照明器具１１を点灯した状態で部屋から外出した場合、判定の結果、ＧＰＳ位置情報が判定範囲外になる。この場合、指示発信部３０３は、消灯チェックボックス６０８のチェックに基づいて消灯指示をインターネット１２を介して発信する。光源部２０４は、信号変換部２０３を介して受信した消灯制御信号により消灯する。一方、ユーザーが、携帯端末装置１０を所持して、部屋に戻ろうとした場合、判定の結果、携帯端末装置１０のＧＰＳ位置情報が、判定範囲外から判定範囲内になる。この場合、指示発信部３０３は、点灯チェックボックス６０６のチェックに基づいて点灯指示をインターネット１２を介して発信し、光源部２０４は、変換後の点灯制御信号により点灯する。
【手続補正２９】
【補正対象書類名】明細書
【補正対象項目名】００３９
【補正方法】変更
【補正の内容】
【００３９】
これにより、ユーザーの所有する携帯端末装置１０の動きに合わせて無線ＬＡＮ照明器具１１の点灯及び消灯を制御することが出来る。尚、不要チェックボックス６０７がチェックされている場合には、指示発信部３０３は、日中（例えば、９：００〜１７：００）において、前記判定を禁止し、日中における意味の無い無線ＬＡＮ照明器具１１の点灯及び消灯の制御を停止させる。
【手続補正３０】
【補正対象書類名】明細書
【補正対象項目名】００４０
【補正方法】変更
【補正の内容】
【００４０】
次に、無線ＬＡＮ照明器具１１に赤外線受信部１１ｃと赤外線発信部１１ｄとが設けられている場合、無線ＬＡＮ照明器具１１の無線ＬＡＮ通信部２０２を利用して、赤外線リモコン１３ｂで操作される家電製品１３を携帯端末装置１０で操作することが出来る。図２、図７を参照しながら、その構成及び実行手順について説明する。
【手続補正３１】
【補正対象書類名】明細書
【補正対象項目名】００４３
【補正方法】変更
【補正の内容】
【００４３】
ここで、操作キー８０５は、未だ何も登録されていないため、ユーザーが、「電源」を示す特定の操作キー８０５ａと登録キー８０６とを選択すると、アプリケーションの赤外線登録部３０５が、図８Ｂに示すように、家電製品１３の赤外線リモコン１３ｂにおける、特定の操作キー８０５ａの「電源」に対応する特定の操作ボタンの押下を促す登録画面８０７を携帯端末装置１０の表示部に表示する。そして、赤外線登録部３０５が、無線ＬＡＮ照明器具１１の赤外線受信部２０５に赤外線信号の受信を指示し、赤外線受信部２０５が、赤外線信号の受信を開始する（図７：Ｓ３０３）。ここで、無線ＬＡＮ照明器具１１が設置された部屋では、ユーザーが生活のため赤外線リモコン１３ｂを利用することにより、様々な赤外線信号が往来している可能性があり、その都度、赤外線受信部２０５が、この赤外線信号を受信すると、無駄が生じる。上述のように、携帯端末装置１０の指示により、赤外線受信部２０５が、赤外線信号の受信を開始することで、必要な赤外線信号のみを受信することが出来る。
【手続補正３２】
【補正対象書類名】明細書
【補正対象項目名】００４５
【補正方法】変更
【補正の内容】
【００４５】
そして、赤外線受信部２０５が、赤外線リモコン１３ｂの操作ボタンに対応する赤外線信号を受信すると、無線ＬＡＮ照明器具１１の赤外線変換部２０６に送信し、赤外線変換部２０６は、前記赤外線信号を、操作ボタンに対応する操作情報に変換する（図７：Ｓ３０６）。
【手続補正３３】
【補正対象書類名】明細書
【補正対象項目名】００４６
【補正方法】変更
【補正の内容】
【００４６】
ここで、例えば、赤外線変換部２０６は、無線ＬＡＮ照明器具１１の赤外線受信部１１ｃからの赤外線の解析と、赤外線発信部１１ｄの赤外線の発信を制御するドライバ部に対応し、赤外線信号から、無線ＬＡＮで通信可能な操作情報に変換したり、無線ＬＡＮから通信された操作情報を赤外線信号に変換したりすることで、無線ＬＡＮを介して赤外線受信部１１ｃ及び赤外線発信部１１ｄを制御することが出来る。尚、ドライバ部は、上述と同様に、無線ＬＡＮ照明器具１１に内蔵しても、外部で取り付け可能に構成されても良い。
【手続補正３４】
【補正対象書類名】明細書
【補正対象項目名】００４７
【補正方法】変更
【補正の内容】
【００４７】
そして、赤外線変換部２０６は、変換された操作情報を無線ＬＡＮ通信部２０２を介して無線ＬＡＮに送信し、赤外線登録部３０５は、無線通信部３０２を介して、前記操作情報を取得し、前記選択された「電源」の特定の操作キー８０５ａに関連付けて登録する（図７：Ｓ３０７）。これにより、携帯端末装置１０における家電製品操作画面８０４の操作キー８０５に、赤外線信号の操作情報を登録することが可能となる。
【手続補正３５】
【補正対象書類名】明細書
【補正対象項目名】００５０
【補正方法】変更
【補正の内容】
【００５０】
無線ＬＡＮ照明器具１１の無線ＬＡＮ通信部２０２が、無線ＬＡＮを介して、前記操作情報を受信すると、赤外線変換部２０６は、前記受信された操作情報を赤外線信号に変換する（図７：Ｓ４０３）。
【手続補正３６】
【補正対象書類名】明細書
【補正対象項目名】００５１
【補正方法】変更
【補正の内容】
【００５１】
そして、赤外線変換部２０６は、変換後の赤外線信号を赤外線発信部２０７に送信し、赤外線発信部２０７は、当該赤外線信号を発信する（図７：Ｓ４０４）。すると、無線ＬＡＮ照明器具１１からの赤外線信号により、赤外線リモコン１３ａからの赤外線信号と同様に、「ＴＶ」の家電製品１３に電源が投入される。これにより、携帯端末装置１０及び無線ＬＡＮ照明器具１１を、家電製品１３の赤外線リモコン１３ａの代わりに利用することが可能となる。特に、無線ＬＡＮ照明器具１１から赤外線信号を発信する構成とすることで、天井から部屋の隅々まで赤外線信号を発信することが出来ることから、部屋の周壁面に設置される可能性が高い家電製品１３へ赤外線信号を確実に送信し、家電製品１３の操作を確実にすることが出来る。例えば、家電製品１３の周りに、障害物となる物が置かれ、赤外線リモコン１３ａと家電製品１３との間で、家電製品１３の赤外線センサーの前に、簡単な障害物があると、赤外線センサーは、赤外線信号を受信することが出来ず、家電製品１３は操作されない。本発明では、天井の無線ＬＡＮ照明器具１１から赤外線信号を発信するため、家電製品１３の赤外線センサーの前に障害物があっても、上方から見れば、障害物が無いことになるから、家電製品１３の赤外線センサーは、赤外線信号を確実に受信することが出来るのである。
【手続補正３７】
【補正対象書類名】明細書
【補正対象項目名】００５２
【補正方法】変更
【補正の内容】
【００５２】
又、無線ＬＡＮ照明器具１１からの赤外線信号の発信は、インターネット１２に接続される無線ＬＡＮを介して行っていることから、携帯端末装置１０を有するユーザーは、外部からでも当該赤外線信号の発信を行うことが出来る。例えば、図９Ｂに示すように、ユーザーが外出している場合、基地局を介して携帯端末装置１０をインターネット１２に接続し、携帯端末装置１０の家電製品操作画面９００において、「エアコン」の家電製品１３に関係し、「電源」の操作ボタンにおける赤外線信号の操作情報を予め登録した「電源」の操作キー９０１を選択する。すると、家電操作発信部３０４が、インターネット１２を介して、「電源」の操作キー９０１に登録された赤外線信号の操作情報を無線ＬＡＮ照明器具１１に送信し、無線ＬＡＮ照明器具１１の赤外線変換部２０６は、前記送信された「電源」の操作情報を赤外線信号に変換し、無線ＬＡＮ照明器具１１の赤外線発信部２０７は、変換された赤外線信号を発信し、「エアコン」の家電製品１３に電源を投入することが出来る。
【手続補正３８】
【補正対象書類名】明細書
【補正対象項目名】００５３
【補正方法】変更
【補正の内容】
【００５３】
又、家電製品１３の操作のスケジュール管理、イベントに合わせた操作制御、携帯端末装置１０のＧＰＳ位置情報に基づいた操作制御も、上述の無線ＬＡＮ照明器具１１の点灯及び消灯と同様に行うことが可能となる。
【手続補正３９】
【補正対象書類名】明細書
【補正対象項目名】００５４
【補正方法】変更
【補正の内容】
【００５４】
更に、無線ＬＡＮ照明器具１１にカメラ部１１ｆが設けられている場合、無線ＬＡＮ照明器具１１の無線ＬＡＮ通信部２０２を利用して、無線ＬＡＮ照明器具１１をネットワークカメラとして機能させることが可能となり、無線ＬＡＮ照明器具１１が設置された部屋内を外部から監視することが出来る。
【手続補正４０】
【補正対象書類名】明細書
【補正対象項目名】００５５
【補正方法】変更
【補正の内容】
【００５５】
ここで、カメラ部１１ｆの構成に特に限定は無く、例えば、図１０Ａに示すように、内視鏡のように管状のピンポイント型のカメラ部であり、無線ＬＡＮ通信部１１ａに通信可能に接続された配線の先端部に撮影部１１ｇを設け、撮影部１１ｇのレンズが無線ＬＡＮ照明器具１１の周端部の一部から延出されて下方を撮影する構成を挙げることが出来る。又、無線ＬＡＮ照明器具１１の下面の中心部１１ｈに光源部が設けられていない場合、この中心部１１ｈに、撮影部１１ｇを設けて、無線ＬＡＮ照明器具１１の下面から部屋の全体を撮影する構成でも良い。又、撮影部１１ｇが球状で所定の角度に回動可能な構成である場合、この撮影部１１ｇを無線ＬＡＮ照明器具１１の下面の中心部１１ｈに設けることで、部屋の全体を見回して撮影する構成でも良い。
【手続補正４１】
【補正対象書類名】明細書
【補正対象項目名】００５６
【補正方法】変更
【補正の内容】
【００５６】
さて、ユーザーが部屋の外部に居て、無線ＬＡＮ照明器具１１のカメラ部１１ｆで部屋内を撮影する場合、携帯端末装置１０のアプリケーションを起動して、ネットワークカメラ操作に遷移させると、アプリケーションの撮影制御部３０６が、図１０Ｂに示すように、携帯端末装置１０の表示部にカメラ撮影画面１０００を表示して、撮影指示の入力を受け付ける。カメラ撮影画面１０００には、撮影キー１００１と、撮影画像１００２（撮影写真）とが表示される。現時点では、撮影画像１００２には何も撮影されていないが、過去、カメラ部１１ｆで撮影した履歴があれば、過去の撮影画像を表示しても良い。
【手続補正４２】
【補正対象書類名】明細書
【補正対象項目名】００５７
【補正方法】変更
【補正の内容】
【００５７】
ユーザーが、カメラ撮影画面１０００を見ながら、撮影キー１００１を選択すると、撮影制御部３０６が、無線ＬＡＮを介して、無線ＬＡＮ照明器具１１の無線ＬＡＮ通信部２０２に撮影指示を発信する。
【手続補正４３】
【補正対象書類名】明細書
【補正対象項目名】００５８
【補正方法】変更
【補正の内容】
【００５８】
無線ＬＡＮ照明器具１１の無線ＬＡＮ通信部２０２が、前記撮影指示を受信すると、カメラ部２０８に転送し、当該カメラ部２０８が、画像（写真）を撮影する。そして、カメラ部２０８は、無線ＬＡＮを介して、その画像を無線通信部３０２に返信する。携帯端末装置１０の無線通信部３０２が撮影画像を受信すると、撮影制御部３０６に転送し、撮影制御部３０６は、図１１Ａに示すように、受信した撮影画像１００２をカメラ撮影画面１０００に表示させる。これにより、ユーザーが外出している場合であっても、部屋内を確認することが出来る。リビングや子供部屋、ペットの見回り、防犯に効果的である。カメラ部２０８が回動可能な構成である場合、カメラ撮影画面１０００に回転角度キー１００３が表示され、ユーザーが、回転角度キー１００３を選択して特定の撮影角度（例えば、「１８０度」）を入力すると、撮影制御部３０６は、撮影角度を含む撮影指示を無線ＬＡＮ照明器具１１のカメラ部２０８に発信し、カメラ部２０８は、撮影角度（「１８０度」）に対応して撮影部１１ｇを回動させた後に画像を撮影する。このように、カメラ部２０８の撮影角度を変更することで、ユーザーが気になる部屋内の箇所を撮影し、外部で確認することが可能となる。尚、無線ＬＡＮ通信部２０２とカメラ部２０８との間に、適宜、データの変換部を設けて、両者のデータの送受信を円滑にしても良い。
【手続補正４４】
【補正対象書類名】明細書
【補正対象項目名】００５９
【補正方法】変更
【補正の内容】
【００５９】
又、無線ＬＡＮ照明器具１１のカメラ部１１ｆに、人感センサーに対応する赤外線検知部（赤外線センサー）を設けることで、更に、防犯機能を強化することが出来る。例えば、図１１Ｂに示すように、無線ＬＡＮ照明器具１１のカメラ部１１ｆの近傍に赤外線検知部１１ｉを設けて、カメラ部１１ｆの撮影領域と赤外線検知部１１ｉの検知領域とを重ね合せる。そして、この検知領域に、赤外線を発する検知物体、例えば、人やペット等が入ると、赤外線検知部１１ｉが、検知物体が検知領域に侵入したことを検知し、カメラ部１１ｆが、検知物体を含む撮影領域の画像を撮影する。そして、カメラ部１１ｆが撮影画像を、無線ＬＡＮ通信部２０２を介して、携帯端末装置１０に発信する。すると、携帯端末装置の撮影制御部３０６は、カメラ撮影画面１０００に、検知物体を含む撮影画像１００４を、例えば、ポップアップ形式で表示するとともに、物体を検知した旨１００５を表示する。これにより、無線ＬＡＮ照明器具１１の赤外線検知部１１ｉが検知物体を検知すると、当該検知物体を含む撮影画像が携帯端末装置１０に自動的に送信されるため、ユーザーは、無線ＬＡＮ照明器具１１の下方に誰かが侵入したタイミングで部屋内の撮影画像を確認することが可能となる。防犯以外にも、子供やペットの見回りに好適である。更に、無線ＬＡＮ照明器具１１に、温度センサー、湿度センサー等のセンサーを別途設けて、部屋内の状態を携帯端末装置１０に送るよう構成しても良い。
【手続補正４５】
【補正対象書類名】明細書
【補正対象項目名】００６０
【補正方法】変更
【補正の内容】
【００６０】
又、本発明に係る照明制御システム１では、赤外線検知部を組み合わせることで、ユーザーの動作に合わせた照明制御又は家電操作の自動化を行うことが出来る。例えば、無線ＬＡＮ照明器具１１と通信可能に接続された赤外線検知部を部屋の入口（又は玄関）に設置し、赤外線検知部が、部屋に入るユーザー（検知物体）を検知すると、無線ＬＡＮ照明器具１１が、光源部２０４を自動的に点灯させたり、赤外線発信部２０７が、家電製品１３の電源を投入する赤外線信号を発信したりする。一方、赤外線検知部が、部屋から出るユーザーを検知すると、無線ＬＡＮ照明器具１１が、光源部２０４を自動的に消灯させたり、赤外線発信部２０７が、家電製品１３の電源を切断する赤外線信号を発信したりする。又、無線ＬＡＮ照明器具１１に、マイク及びスピーカーを設けることで、無線ＬＡＮを介して、無線ＬＡＮ照明器具１１がある部屋のユーザーと、携帯端末装置１０のユーザーと会話を可能にしても良い。又、無線ＬＡＮ照明器具１１に携帯端末装置１０の音楽データを無線ＬＡＮを介して送信し、無線ＬＡＮ照明器具１１から音楽を流すようにしても良い。更に、無線ＬＡＮ照明器具１１のマイクでユーザーの声を取得して記憶させ、他のユーザーが帰宅すると、無線ＬＡＮ照明器具１１のスピーカーでユーザーの声を再生し、メッセージを残すようにしても良い。又、二台以上の無線ＬＡＮ照明器具１１が存在する場合、無線ＬＡＮ照明器具１１のマイク及びスピーカーを利用して、各部屋毎のユーザー同士が無線ＬＡＮ照明器具１１を介して会話しても良い。
【手続補正４６】
【補正対象書類名】明細書
【補正対象項目名】００６１
【補正方法】変更
【補正の内容】
【００６１】
又、本発明に係る照明制御システム１では、一台の端末装置１０と一台の無線ＬＡＮ照明器具１１で、インターネット１２又は無線ＬＡＮを介して、この無線ＬＡＮ照明器具１１の点灯、この無線ＬＡＮ照明器具１１が設けられた部屋の家電製品１３の操作を制御することが出来る。そのため、図１２に示すように、家の各部屋毎に無線ＬＡＮ照明器具１１をそれぞれ設けることで、一台の端末装置１０で、家の部屋の全ての無線ＬＡＮ照明器具１１の点灯と家電製品１３の操作を制御することが可能となり、一台の端末装置１０に家の全ての無線ＬＡＮ照明器具１１及び家電製品１３の操作を集約することが可能となる。
【手続補正４７】
【補正対象書類名】明細書
【補正対象項目名】００６２
【補正方法】変更
【補正の内容】
【００６２】
又、本発明に係る照明制御システム１では、図１３に示すように、端末装置１０と無線ＬＡＮ照明器具１１とのデータの送受信を制御するサーバー１４（例えば、クラウドサーバー）をインターネット１２上に設けて、端末装置１０と無線ＬＡＮ照明器具１１との無線通信を円滑にしても良い。インターネット１２上のサーバー１４は、端末装置１０と無線ＬＡＮ照明器具１１とを識別可能である。例えば、端末装置１０からの指示が、サーバー１４を介して無線ＬＡＮ照明器具１１へ送信され、無線ＬＡＮ照明器具１１の光源部２０４が点灯又は消灯しても良い。又、無線ＬＡＮ照明器具１１で赤外線信号が変換された操作情報が、サーバー１４を介して端末装置１０に送信され、赤外線登録部３０５が、当該操作情報を操作キーに関連付けて登録しても良い。端末装置１０の家電操作発信部３０４が発信した操作情報が、サーバー１４を介して無線ＬＡＮ照明器具１１に送信され、赤外線発信部２０７が、当該操作情報に対応する赤外線信号を発信しても良い。又、端末装置１０と無線ＬＡＮ照明器具１１とのデータの送受信を履歴としてサーバー１４上に残すことも可能となるため、端末装置１０又は無線ＬＡＮ照明器具１１に不具合が発生した場合に、不具合の原因を履歴から特定し易くなる。サーバー１４の構築には、公知の手法が採用される。例えば、サーバー１４から端末装置１０へデータを送信するｃｏｍｅｔを採用し、待ち行列でデータ格納するｍｑを用いて、遠隔手続呼出のＲＰＣプロバイダーで処理される。ＲＰＣプロバイダーでは、上述のデータのデータベースやルーティングテーブルを備える。一方、端末装置１０は、サーバー１４に命令を送信するｃｏｍｍａｎｄと、設定情報の保守、名前付け、分散同期化の提供を行うｚｏｏｋｅｅｐｅｒとを備える。
【手続補正４８】
【補正対象書類名】明細書
【補正対象項目名】００６３
【補正方法】変更
【補正の内容】
【００６３】
又、本発明の実施形態では、照明制御システム１が各部を備えるよう構成したが、当該各部を実現するプログラムを記憶媒体に記憶させ、当該記憶媒体を提供するよう構成しても構わない。当該構成では、前記プログラムを端末装置及び無線ＬＡＮ照明器具に読み出させ、当該端末装置及び無線ＬＡＮ照明器具が各部を実現する。その場合、前記記録媒体から読み出されたプログラム自体が本発明の作用効果を奏する。さらに、各手段が実行するステップをハードディスクに記憶させる方法として提供することも可能である。
【手続補正４９】
【補正対象書類名】明細書
【補正対象項目名】００６５
【補正方法】変更
【補正の内容】
【００６５】
１  照明制御システム
１０  携帯端末装置
１１  無線ＬＡＮ照明器具
１２  インターネット
１３  家電製品
１４  サーバー
２０１  電力変換部
２０２  無線ＬＡＮ通信部
２０３  信号変換部
２０４  光源部
２０５  赤外線受信部
２０６  赤外線変換部
２０７  赤外線発信部
２０８  カメラ部
３０１  無線許可部
３０２  無線通信部
３０３  指示発信部
３０４  家電操作発信部
３０５  赤外線登録部
３０６  撮影制御部
【手続補正５０】
【補正対象書類名】図面
【補正対象項目名】図２
【補正方法】変更
【補正の内容】
【図２】
2017212029.tif 000016
【手続補正５１】
【補正対象書類名】図面
【補正対象項目名】図３
【補正方法】変更
【補正の内容】
【図３】
2017212029.tif 000017